(57)【要約】互いに対向する第１および第２の主面と、ディスク状のデータ記録媒体を収納する収納部と、前記収納されたデータ記録媒体の一部を露出可能に前記第１および第２の主面に設けられた開口窓と、前記収納されたデータ記録媒体を前記収納部から取り出すように設けられた開口部と、前記収納されたデータ記録媒体への記録の禁止を示すための前記第１および第２の主面にそれぞれ設けられた記録禁止用識別穴とを有するカートリッジ本体、前記カートリッジ本体の開口部を開閉する蓋を備え、前記カートリッジ本体は、前記第１および第２の主面のいずれも光ディスク装置のピックアップと対向可能に前記光ディスク装置へ装填可能な外形を有し、前記第１および第２の主面の記録禁止用識別穴のうち、前記第２の主面の記録禁止用識別穴にのみ、前記記録禁止用識別穴が開放した状態および閉塞した状態を設定し得る記録可否設定機構を備えたディスクカートリッジ。【特許請求の範囲】
【請求項１】
互いに対向する第１および第２の主面と、前記第１および第２の主面に挟まれており、ディスク状のデータ記録媒体を収納する収納部と、前記収納部に収納されたデータ記録媒体の一部を露出するように前記第１および第２の主面に設けられ開口窓と、前記第１および第２の主面との間に位置しており前記収納部に収納されたデータ記録媒体を前記収納部から取り出すことができるように設けられた開口部と、前記収納部に収納されたデータ記録媒体への記録の禁止を示すための前記第１および第２の主面にそれぞれ設けられた記録禁止用識別穴とを有するカートリッジ本体、
前記第１および第２の主面に設けられ開口窓を開閉するように前記カートリッジ本体に対して移動可能に支持されたシャッタ、および、
前記カートリッジ本体の開口部を開閉する蓋、
を備え、
前記カートリッジ本体は、前記第１および第２の主面のいずれが光ディスク装置のピックアップと対向するようにも、前記光ディスク装置に装填可能な外形を有し、
前記第１および第２の主面の記録禁止用識別穴のうち、前記第２の主面の記録禁止用識別穴にのみ、前記記録禁止用識別穴が開放した状態および閉塞した状態を設定し得る記録可否設定機構を備えたディスクカートリッジ。
【請求項２】
前記カートリッジ本体は、
前記開口部にそれぞれ隣接しており、互いに対向する第１および第２の側面と、
前記第１および第２の側面に隣接しており、前記開口部に対向する第３の側面と、
前記第１および第２の側面の前記開口部側に設けられたグリッパースロット部と、
前記第１および第２の側面の前記第３の側面側に設けられたオートローディング引っ掛けと、
をさらに有する請求項１に記載のディスクカートリッジ。
【請求項３】
前記グリッパースロット部および、前記オートローディング引っ掛けはそれぞれ凹部形状を有し、前記グリッパースロット部および前記オートローディング引っ掛けは前記第１および第２の側面に開口が形成されるように前記第１および第２の側面にそれぞれ達している請求項２に記載のディスクカートリッジ。
【請求項４】
前記蓋は、前記カートリッジ本体に対して回動可能なようにその一端近傍において支持されている請求項１に記載のディスクカートリッジ。
【請求項５】
前記蓋または前記カートリッジ本体は、脱離可能なように取り付けられた爪部を有し、
前記カートリッジ本体または前記蓋は前記爪部と係合する係合部を有する請求項１に記載のディスクカートリッジ。
【請求項６】
前記カートリッジ本体において、前記第３の側面および前記開口部がそれぞれ上下に位置するように配置した場合において前記第１の主面の右側に前記第２の側面は位置しており、
前記カートリッジ本体は、前記蓋の外面から２２．８ｍｍ以上２３．２ｍｍ以下であり、前記第２の側面から１１．０ｍｍ以上１１．４ｍｍ以下の範囲内の領域にある点を中心とする直径４．００ｍｍ以上４．０５ｍｍ以下の円形形状のロケーション穴を前記第１の主面に有し、
前記記録禁止用識別穴は、前記ロケーション穴の中心点から前記蓋方向に向かって１８．４５ｍｍ以上１８．５５ｍｍ以下であり、前記ロケーション穴の中心点から前記第１の側面方向に８．９５ｍｍ以上９．０５ｍｍ以下の範囲の内の領域にある点を中心点とし、３．１ｍｍ以上３．２ｍｍ以下の直径の円形形状を有する請求項１記載のカートリッジ。
【請求項７】
前記データ記録媒体をさらに備え、
前記データ記録媒体は、片面にのみ記録可能なデータ記録層を有し、前記データ記録層は、前記第２の主面と対向するように前記カートリッジ本体の収納部に収納されている請求項１から５のいずれかに記載のディスクカートリッジ。
【請求項８】
前記データ記録層は、ユーザデータを記録するデータ領域及び前記データ領域の内周にデータの帰属を示す情報を記録するリードイン領域を含む請求項７に記載のディスクカートリッジ。
【発明の詳細な説明】
【技術分野】
【０００１】  本発明は、ディスク状のデータ記録媒体を収納するディスクカートリッジに関する。
【背景技術】
【０００２】  光学的にデータを記録、再生するディスク状のデータ記録媒体（以下、光ディスクと称する）が大容量のデジタルデータを記録する媒体として、広く利用されている。光ディスクには再生専用の光ディスクと記録型の光ディスクとがある。記録型の光ディスクには、光ビームを用いて、データを１回のみ記録できる追記型（ライトワンスとも称される）光ディスクと、繰り返して書き換えることが可能な書換型光ディスクとがある。以下、記録型光ディスクとして書換型の光ディスクを例に挙げ説明する。【０００３】  書換型の光ディスクのデータを書き換える際、光ディスクのデータ記録面の表面に埃や指紋などが付着していると、正しくデータを書き込めない可能性がある。このため、一般に、書換型の光ディスクは、データ記録面の表面に埃や指紋などが付かないようにするために、ディスクカートリッジに収納されている。【０００４】  再生専用の光ディスクはカートリッジに収納されていないため、再生専用の光ディスクのみに対応した光ディスク装置は、ディスクカートリッジに収納された書換型の光ディスクを再生することができない。このため、書換型光ディスクを再生専用の光ディスクに対応した光ディスク装置で再生したいという要望があり、ディスクの取り出しが可能なディスクカートリッジが提案されている。【０００５】  特許文献１は、ディスクの取り出しが可能な従来のディスクカートリッジの一例を開示している。図７に示すように、この従来のディスクカートリッジ１０１は、カートリッジ本体１０３と、蓋１０４と、シャッタ１０６とを備えている。【０００６】  カートリッジ本体１０３は書換型の光ディスク１０２を収納する空間を備えた薄い六面体形状を有する。カートリッジ本体１０３の六面体の対向する２つの主面には、光ディスク１０２の一部を露出する開口窓１０５がそれぞれ設けられている。シャッタ１０６は、開口窓１０５を開放または閉塞するように、２つの主面に対して平行に移動する。光ディスク装置にカートリッジ１０１が装填されると、光ディスク装置に設けられたオープナとシャッタ１０５とが係合し、装填に伴って、シャッタ１０６は開口窓１０５を露出するように移動する。【０００７】  カートリッジ本体１０３には、ディスク１０２を取り出すための開口部１０７が設けられている。開口部１０７は、六面体の１一つの面に対応している。蓋１０４は、カートリッジ本体１０３の開口部１０７近傍に形成された回動軸１０８を中心に回動可能なように、その一端においてカートリッジ本体１０３に取り付けられている。【０００８】  蓋１０４の他端には係合部１０９が設けられており、係合部１０９がカートリッジ本体１０３に設けられた係合部１１０と係合することによって開口部１０７を蓋１０４で覆った状態を維持することができる。【０００９】  カートリッジ本体１０３の係合部１０９近傍には爪部１１１が設けられている。図８は、カートリッジ本体１０３の爪部１１１を拡大して示している。爪部１１１は、複数の箇所において、カートリッジ本体１０３と接続部１１２により接続されており、蓋１０４に設けられた溝部１１３と嵌合している。したがって、通常の使用状態では、この接続部１１２を切断し、爪部１１��をカートリッジ本体１０３から取り外さない限り、蓋１０４は回動できない。このため、爪部１１１を取り外さなければ光ディスク１０２を取り出すことはできない。【００１０】  また、蓋１０４には記録禁止用識別穴１１４および記録禁止用識別穴１１４が開いた状態および閉じた状態にするための可動子１１５が設けられている。ディスクカートリッジ１０１が装填される光ディスク装置は、記録禁止用識別穴１１４が開いているかどうかを識別し、記録禁止用識別穴１１４の開閉状態に応じてディスクカートリッジ１０１内の光ディスク１０２への記録動作を行う。たとえば、可動子１１５が記録禁止用識別穴１１４を塞いだ状態では、光ディスク１０２への記録が可能であり、可動子１１５が記録禁止用識別穴１１４を塞いでいない状態では、光ディスク１０２への記録が禁止される。可動子１１５はユーザが移動させることができる。つまり、ユーザが、光ディスク１０２への記録の可否を設定することができる。【００１１】  図９Ａから図９Ｃを参照して光ディスク１０２の取り出し手順を説明する。図９Ａに示すように、光ディスク１０２が一度も取り出されたことのないディスクカートリッジ１０１には、爪部１１１が設けられている。図９Ａに示される接続部１１２を切断して爪部１１１を取り外すと図９Ｂに示す状態となる。爪部１１１の取り外しによって、蓋１０４の溝部１１３と爪部１１１の嵌合が解ける。蓋１０４を回動軸１０８周りに回動させて、開口窓１０７を開放する。これにより、図９Ｃに示すように光ディスク１０２を取り出すことができる。【００１２】  光ディスク１０２を一度取り出したディスクカートリッジ１０１には爪部１１１はない。このため、収納されているディスク１０２を取り出したかどうか、ユーザは識別することができる。また、この爪部１１１の有無を光ディスク装置が検出することにより、ディスクへの適切な記録方法を設定することができる。例えば、光ディスク１０２がディスクカートリッジ１０１から取り出されると、記録に影響が出る程度の指紋や埃が付着するおそれがあると仮定する。この場合、爪部１１１が光ディスク１０２にあれば、光ディスク１０２はディスクカートリッジ１０１から一度も取り出されていない。したがって光ディスク１０２に指紋や埃が付着している可能性は低く、光ディスク１０２へ正しい記録が可能である。一方、光ディスク１０２に爪部１１１がなければ、光ディスク１０２は少なくとも一度はディスクカートリッジ１０１から取り出されている。このため、光ディスク１０２に指紋や埃が付着している可能性があり、光ディスク１０２へ正しくデータを記録できない可能性がある。この場合には、例えば、記録禁止用識別穴１１４が記録可能な状態であっても、記録を禁止する、あるいは欠陥検査をした後にディスクへの記録を可能する等の処理を行うことができる。【００１３】  このような構造のディスクカートリッジは、ＤＶＤディスク用のカートリッジに採用され、ＤＶＤレコーダの普及とともに広く利用されるようになってきている。前述した特許文献１に開示された技術によって、現在普及しているＤＶＤ−ＲＡＭを収納したディスクカートリッジは、収納されているＤＶＤ−ＲＡＭディスクを取り出すことが可能である。また、光ディスク１０２がディスクカートリッジ１０１から取り出された可能性を検知することが可能であり、光ディスク装置が、検知結果に基づいて記録動作を禁止したり、ＤＶＤ−ＲＡＭディスクの欠陥検査等を行うことにより、ＤＶＤ−ＲＡＭへのデータ記録の信頼性が確保されている。【００１４】  現在普及しているＤＶＤ−ＲＡＭディスクには、両面にデータ記録層を備えるＤＶＤ−ＲＡＭディスクと、片面にのみデータ記録層を備えるＤＶＤ−ＲＡＭディスクとが存在する。このため、それぞれのタイプに適合したディスクカートリッジが用いられている。以下、従来のＤＶＤ−ＲＡＭディスク用のディスクカートリッジをさらに説明する。【００１５】  図１０Ａおよび図１０Ｂは、片面のみにデータ記録層を備える光ディスク２００を収納するディスクカートリッジ２１を示している。図１０Ａに示すように、ディスクカートリッジ２１は、カートリッジ本体２２と、シャッタ２５と、蓋２４とを備えている。カートリッジ本体２２は、対向する一対の主面２２ａ、２２ｂと、主面２２ａ、２２ｂの間隙を規定している一対の側面２３ａ、２３ｂおよび側面２３ａ、２３ｂに挟まれた側面２３ｃとを含む。主面２２ａ、２２ｂおよび側面２３ａ、２３ｂ、２３ｃは、平行六面体の６つの面を形成している。カートリッジ本体２２において、側面２３ｃに対向する面には開口部２３ｄが設けられている。カートリッジ本体２２の開口部２３ｄおよび側面２３ｂに近接した位置には、回動軸２３ａが設けられており、蓋２４が回同軸２３ａ周りに回動するように取り付けられている。【００１６】  主面２２ａ、２２ｂにはそれぞれ光ディスク１０２の一部を露出する開口窓２９が設けられている。シャッタ２５は、主面２２ａ、２２ｂの開口窓２９をそれぞれ覆う一対の主部と、一対の主部を接続する接続部とからなる。接続部が側面２３ｃに沿って移動することにより、主部が開口窓２９を閉塞または開放する。【００１７】  側面２３ａ、２３ｂの開口部２３ｄ側には凹形状に陥没したグリッパースロット２６ａ、２６ｂがそれぞれ設けられている。また、側面２３ａ、２３ｂの側面２３ｃ側にはＶ字形状に陥没したオートローディング引掛け（オートローディングディテントとも称される）２７ａ、２７ｂがそれぞれ設けられている。グリッパースロット２６ａ、２６ｂには、光ディスク装置が備える突起が嵌合し、光ディスク装置内においてディスクカートリッジ２１の位置決めを行う。グリッパースロット２６ａ、２６ｂの凹形状およびオートローディング引掛け２７ａ、２７ｂのＶ字形状は主面２２ｂに達し、主面２２ｂに連通した開口が形成されているが、主面２２ａには達していない。このため、図１０Ａにおいてグリッパースロット２６ａ、２６ｂの凹形状およびオートローディング引掛け２７ａ、２７ｂは破線で示されている。【００１８】  蓋２４には光ディスク２００のデータ記録層が記録可能であるか記録禁止であるかを識別する記録禁止識別子２８ａが設けられている。記録禁止識別子２８ａはスライドスイッチであり、スライドすることによって、カートリッジ本体２２の所定の領域に穴が開いた状態と穴が閉塞した状態とを形成しうる。図示しない光ディスク装置��トレイに設けられた検出機構は、穴の有無を検出する。穴が形成されている場合には、光ディスク装置は、記録不可の状態であると判定し、穴が塞がれている場合は記録可能な状態であると判定する。【００１９】  蓋２４にはさらにロックピン（爪）３０ａが設けられ、ロックピン３０ａが主面２２ａ及び２２ｂに設けられた孔２４ｅと係合することによって、蓋２４が回動軸２４ａの周りに回動するのを規制する。これにより、光ディスク２００のカートリッジ２１からの取り出しを禁止している。図１０Ｂに示すようにロックピン３０ａを除去することによって、ロックピン３０ａと孔２４ｅとの係合が解け、蓋２４は回動軸２４ａの周りに回動することができる。これにより、光ディスク２００を開口部２３ｄから取り出すことができる。【００２０】  図１０Ａ及び図１０Ｂに示したディスクカートリッジ２１が収納している光ディスク２００は片面にのみデータ記録層を有する。図１０Ａ及び図１０Ｂにおいては、光ディスク２００のデータ記録層は主面２２ｂに対向している。一方、主面２２ａと対向する光ディスク２００の面には例えばレーベルが形成されていたり、情報層を備えていてもデータの記録できない処理（例えば、光ディスク２００の内周のリードイン領域に情報を読み取れない処理を施す等）が施されている。【００２１】  前述したように、グリッパースロット２６ａ、２６ｂおよびオートローディング引掛け２７ａ、２７ｂは主面２２ａに達しておらず、グリッパースロット２６ａ、２６ｂおよびオートローディング引掛け２７ａ、２７ｂに連通する開口が主面２２ａには形成されていない。このためユーザが誤って記録ができない面に記録を行うようにディスクカートリッジ２１を光ディスク装置に装填しようとしても、光ディスク装置のトレイにおいて、グリッパースロット２６ａ、２６ｂに嵌合するように設けられた突起が主面２２ａと当接し、ディスクカートリッジ２１を正しく装填できない。このようにして、ディスクカートリッジ２１の誤装填を防止している。また、光ディスク２００は片面にのみデータ記録層を有するため、記録禁止識別子も１つのみディスクカートリッジ２１に設けられている。【００２２】  図１１Ａおよび図１１Ｂは、両面にデータ記録層を備える光ディスク３００を収納するディスクカートリッジ３１を示している。近年、ビデオテープに替わって光ディスクに動画映像音声信号を記録することが一般的になってきており、こうした用途では、十分な記録容量を確保するため、両面にデータ記録層を備える光ディスクが求められている。【００２３】  図１１Ａに示すように、ディスクカートリッジ３１は、カートリッジ本体３２と、シャッタ３５と、蓋３４とを備えている。カートリッジ本体３２は、対向する一対の主面３２ａ、３２ｂと、主面３２ａ、３２ｂの間隙を規定している一対の側面３３ａ、３３ｂおよび側面３３ａ、３３ｂにはさまれた側面３３ｃとを含む。主面３２ａ、３２ｂおよび側面３３ａ、３３ｂ、３３ｃは、平行六面体の６つの面を形成している。カートリッジ本体３２において、側面３３ｃに対向する面には開口部３３ｄが設けられている。カートリッジ本体３２の開口部３３ｄおよび側面３３ｂに近接した位置には、回動軸３���ａが設けられており、蓋３４が回同軸３３ａ周りに回動するように取り付けられている。【００２４】  主面３２ａ、３２ｂにはそれぞれ光ディスク３００の一部を露出する開口窓３９が設けられている。シャッタ３５は、主面３２ａ、３２ｂの開口窓３９をそれぞれ覆う一対の主部と、一対の主部を接続する接続部とからなる。接続部が側面３３ｃに沿って移動することにより、主部が開口窓３９を閉塞または開放する。【００２５】  側面３３ａ、３３ｂの開口部２３ｄ側には凹形状に陥没したグリッパースロット３６ａ、３６ｂがそれぞれ設けられている。また、側面３３ａ、３３ｂの側面３３ｃ側にはＶ字形状に陥没したオートローディング引掛け３７ａ、３７ｂが設けられている。グリッパースロット３６ａ、３６ｂには、光ディスク装置が備える突起が嵌合し、光ディスク装置内においてディスクカートリッジ２３の位置決めを行う。グリッパースロット３６ａ、３６ｂの凹形状およびオートローディング引掛け３７ａ、３７ｂのＶ字形状は主面３２ａおよび主面３２ｂに達し、主面２２ａ、２２ｂにそれぞれ連通した開口が形成されている。【００２６】  蓋３４には光ディスク３００のデータ記録層が記録可能であるか記録禁止であるかを識別する記録禁止識別子３８ａ、３８ｂが設けられている。記録禁止識別子３８ａ、３８ｂはスライドスイッチであり、スライドすることによって、カートリッジ本体２２の所定の領域に穴が開いた状態と穴が閉塞した状態とを形成しうる。図示しない光ディスク装置のトレイに設けられた検出機構は、穴の有無を検出する。穴が形成されている場合には、光ディスク装置は、記録不可の状態であると判定し、穴が塞がれている場合は記録可能な状態であると判定する。【００２７】  蓋３４にはさらにロックピン４０ａが設けられ、ロックピン４０ａが主面３２ａ及び３２ｂに設けられた孔３４ｅと係合することによって、蓋３４が回動軸３４ａの周りに回動するのを規制する。これにより、光ディスク３００のカートリッジ３１からの取り出しを禁止している。図１１Ｂに示すようにロックピン４０ａを除去することによって、ロックピン４０ａと孔３４ｅとの係合が解け、蓋３４は回動軸３４ａの周りに回動することができる。これにより、光ディスク３００を開口部３３ｄから取り出すことができる。【００２８】  図１１Ａおよび図１１Ｂに示すディスクカートリッジ３１が収納する光ディスク３００は両面にデータ記録層を有する光ディスクであるため、主面３２ａが光ディスク装置の光ピックアップと対向する状態および、主面３２ｂが光ディスク装置の光ピックアップと対向する状態で光ディスク装置に正しく装填される必要がある。【００２９】  このため、前述したようにグリッパースロット３６ａ、３６ｂの凹形状およびオートローディング引掛け３７ａ、３７ｂのＶ字形状が主面３２ａおよび主面３２ｂに達し、主面２２ａ、２２ｂにそれぞれ連通した開口が形成されている。このため、ディスクカートリッジ３１のどちらの面を光ピックアップと対向するようにしても、突起がグリッパースロット２６ａ、２６ｂに嵌合し、ディスクカートリッジ３１が正しく光ディスク装置に装填される。また、前述したように、記録禁止識別子も２つディスクカート���ッジ３１に設けられている。【００３０】  このように、従来ＤＶＤ−ＲＡＭディスク用ディスクカートリッジによれば、データ記録層が片面にのみあるのか両面にあるかに応じて、ディスクカートリッジの外形が異なっており、これにより、光ディスク装置へ正しく装填できるようになっている。【００３１】  また、記録禁止識別子を用いて、データ記録層への記録の可否をユーザが設定できるようになっており、光ディスクを取り出すことも可能である。
【特許文献１】特開平９−０４５０３２号公報
【特許文献２】特表２００１−５１３９３５号公報
【発明の開示】
【発明が解決しようとする課題】
【００３２】  近年、ＤＶＤレコーダやコンピュータの端末装置として用いるＤＶＤドライブの普及にともなって、安価な書換型ＤＶＤディスク（以下ＤＶＤディスクと称す）を提供することが求められている。また、ユーザは記録したいデータの容量に応じて、片面書換型のＤＶＤディスクと両面書換型のＤＶＤディスクとを使い分ける傾向にあり、いずれのディスクもニーズがある。【００３３】  しかし、前述したように、片面書換型のＤＶＤディスクに対応したディスクカートリッジ２１と両面書換型のＤＶＤディスクに対応したディスクカートリッジ３１とは外形が異なっているため、２つのディスクカートリッジを製造するためには、それぞれのディスクカートリッジを製造するための金型などの製造設備が必要となる。金型等の製造設備は高価であるため、このことは、書換型ＤＶＤディスクの製造コストを低減することが困難であるという課題を生じさせる。このような課題は、書換型光ディスクのみならず、追記型の光ディスクにおいても生じ、また、光ディスク以外のデータ記録媒体においても生じる。【００３４】  本発明は、このような課題を解決し、低コストで製造が可能な、片面記録型のデータ記録媒体を収納するディスクカートリッジを提供することを目的とする。
【課題を解決するための手段】
【００３５】  本発明のディスクカートリッジは、互いに対向する第１および第２の主面と、前記第１および第２の主面に挟まれており、ディスク状のデータ記録媒体を収納する収納部と、前記収納部に収納されたデータ記録媒体の一部を露出するように前記第１および第２の主面に設けられ開口窓と、前記第１および第２の主面との間に位置しており前記収納部に収納されたデータ記録媒体を前記収納部から取り出すことができるように設けられた開口部と、前記収納部に収納されたデータ記録媒体への記録の禁止を示すための前記第１および第２の主面にそれぞれ設けられた記録禁止用識別穴とを有するカートリッジ本体、前記第１および第２の主面に設けられ開口窓を開閉するように前記カートリッジ本体に対して移動可能に支持されたシャッタ、および、前記カートリッジ本体の開口部を開閉する蓋を備え、前記カートリッジ本体は、前記第１および第２の主面のいずれが光ディスク装置のピックアップと対向するようにも、前記光ディスク装置に装填可能な外形を有し、前記第１および第２の主面の記録禁止用識別穴のうち、前記第２の主面の記録禁止用識別穴にのみ、前記記録禁止用識別穴が開放した状態および閉塞した状態を設定し得る記録可否設定機構を備える。【００３６】  ある好ましい実施形態において、前記カートリッジ本体は、前記開口部にそれぞれ隣接しており、互いに対向する第１および第２の側面と、前記第１および第２の側面に隣接しており、前記開口部に対向する第３の側面と、前記第１および第２の側面の前記開口部側に設けられたグリッパースロット部と、前記第１および第２の側面の前記第３の側面側に設けられたオートローディング引っ掛けとをさらに有する。【００３７】  ある好ましい実施形態において、前記グリッパースロット部および、前記オートローディング引っ掛けはそれぞれ凹部形状を有し、前記グリッパースロット部および前記オートローディング引っ掛けは前記第１および第２の側面に開口が形成されるように前記第１および第２の側面にそれぞれ達している。【００３８】  ある好ましい実施形態において、前記蓋は、前記カートリッジ本体に対して回動可能なようにその一端近傍において支持されている。【００３９】  ある好ましい実施形態において、前記蓋または前記カートリッジ本体は、脱離可能なように取り付けられた爪部を有し、前記カートリッジ本体または前記蓋は前記爪部と係合する係合部を有する。【００４０】  ある好ましい実施形態において、前記第３の側面および前記開口部がそれぞれ上下に位置するようにカートリッジ本体を配置した場合において前記第１の主面の右側に前記第２の側面は位置しており、前記カートリッジ本体は、前記蓋の外面から２２．８ｍｍ以上２３．２ｍｍ以下であり、前記第２の側面から１１．０ｍｍ以上１１．４ｍｍ以下の範囲内の領域にある点を中心とする直径４．００ｍｍ以上４．０５ｍｍ以下の円形形状のロケーション穴を前記第１の主面に有し、前記記録禁止用識別穴は、前記ロケーション穴の中心点から前記蓋方向に向かって１８．４５ｍｍ以上１８．５５ｍｍ以下であり、前記ロケーション穴の中心点から前記第１の側面方向に８．９５ｍｍ以上９．０５ｍｍ以下の範囲の内の領域にある点を中心点とし、３．１ｍｍ以上３．２ｍｍ以下の直径の円形形状を有する。【００４１】  ある好ましい実施形態において、ディスクカートリッジは、前記データ記録媒体をさらに備え、前記データ記録媒体は、片面にのみ記録可能なデータ記録層を有し、前記データ記録層は、前記第２の主面と対向するように前記カートリッジ本体の収納部に収納されている。【００４２】  ある好ましい実施形態において、前記データ記録層は、ユーザデータを記録するデータ領域及び前記データ領域の内周にデータの帰属を示す情報を記録するリードイン領域を含む。
【発明の効果】
【００４３】  本発明によれば、カートリッジ本体の２つの主面にそれぞれ設けられた記録禁止用識別穴のうち、一方にのみ記録禁止用識別穴を閉塞することのできる記録可否設定機構が設けられている。このため、記録可否設定機構が設けられていない記録禁止用識別穴のある主面に対向する光ディスクの面にはデータの記録が行えないことを光ディスク装置は光ピックアップがアクセスする前に判定することが可能となる。【００４４】  また、カートリッジ本体はどちらの主面が光ピックアップと対向するようにも光ディスク装置に装填可能な外形を備えているため、両面記録型のディスクカートリッジと同じ金型を用いて製造することが可能となり、ディスクカートリッジの製造コストを低減させることができる。
【図面の簡単な説明】
【００４５】
【図１Ａ】本発明によるディスクカートリッジの実施形態を示す平面図である。
【図１Ｂ】図１Ａのディスクカートリッジの他の面を示す平面図である。
【図２】図１Ａのディスクカートリッジの蓋を開放した状態を示す平面図である。
【図３】蓋に設けられたロックピン近傍の構造を示す斜視図である。
【図４Ａ】図１Ａに示す平面図の記録禁止用識別穴１０ｂ近傍を拡大して示す図である。
【図４Ｂ】図１Ｂに示す平面図の記録禁止用識別穴１０ｃ近傍を拡大して示す図である。
【図５】図１Ａのディスクカートリッジに光ディスクが正しく収納された状態を示す図である。
【図６】図１Ａのディスクカートリッジに光ディスクが逆向きに収納された状態を示す図である。
【図７】従来のディスクカートリッジを示す平面図である。
【図８】図７のディスクカートリッジの爪部近傍を示す図である。
【図９Ａ】図７のディスクカートリッジの蓋を開放する手順を説明する図である。
【図９Ｂ】図７のディスクカートリッジの蓋を開放する手順を説明する図である。
【図９Ｃ】図７のディスクカートリッジの蓋を開放する手順を説明する図である。
【図１０Ａ】従来の片面書換型ディスクカートリッジを示す平面図である。
【図１０Ｂ】図１０Ａに示す片面書換型ディスクカートリッジの蓋を開放した状態を示す平面図である。
【図１１Ａ】従来の両面書換型ディスクカートリッジを示す平面図である。
【図１１Ｂ】図１１Ａに示す両面書換型ディスクカートリッジの蓋を開放した状態を示す平面図である。
【符号の説明】
【００４６】  １  ディスクカートリッジ
２  カートリッジ本体
４  蓋
４ｂ  ロックピン
５  シャッタ
６ａ、６ｂ  グリッパースロット
７ａ、７ｂ  オートローディング引っ掛け
８ａ、８ｃ  アライメント穴
８ｂ、８ｄ  ロケーション穴
１０ａ  記録可否設定機構
１０ｂ１０ｃ  記録禁止用識別穴
１３  開口窓
４００  光ディスク
【発明を実施するための最良の形態】
【００４７】  以下、図面を参照しながら本発明によるディスクカートリッジの実施形態を説明する。図１Ａおよび図１Ｂは、ディスクカートリッジ１の構成を示す平面図であり、図１Ａは通常ディスクのＡ面と称される第１面をカートリッジの下側にした平面図であり、図１Ｂは通常ディスクのＢ面と称される第２面をカートリッジの下側にした平面図である。ディスクカートリッジ１は、片面にのみ書換が可能な記録面を有するディスク状のデータ記録媒体４００を収納している。以下の説明では、データ記録媒体４００が光ディスクである場合を例示する。しかし、本発明のディスクカートリッジは、光ディスクに限定されず、光磁気ディスクなど他のデータ記録媒体にも好適に用いられる。また、書換型光ディスクを例に挙げているが、データ記録媒体は記録型であればよく、追記型であってもよい。【００４８】  通常、光ディスク装置に光ディスクあるいは光ディスクを収納したディスクカートリッジを水平にした状態で装填した場合、これらの下側の面（裏面）に光ピックアップがアクセスし、データの記録再生を行う。しかし、ユーザが光ディスクあるいはディスクカートリッジを手にとって見る場合、下側の面（裏面）は、ユーザに対向する面ではなく、下側の面はユーザに見えない。このため、ディスクを識別するための「Ａ面」、「Ｂ面」といったラベルは反対の面に記されている。たとえばＡ面と記されている面が見えるようにユーザが手に取り、光ディスク装置に光ディスクあるいはディスクカートリッジを装填した場合、Ａ面と記された面の反対の面に対して、記録や再生が行われる。【００４９】  ディスクカートリッジ１は、カートリッジ本体２と、蓋４と、シャッタ５とを備えている。カートリッジ本体２は、互いに対向する第１の主面２ａおよび第２の主面２ｂと、互いに対向する第１の側面３ａおよび第２の側面３ｂと、第３の側面３ｃとを含む。第１の側面３ａ、第２の側面２ｂおよび第３の側面３ｃは、第１の主面２ａと第２の主面２ｂとの間隙を規定するとともに、第１の主面２ａおよび第２の主面２ｂと協同して、光ディスク４００を収納する収納部を形成している。第１の主面２ａおよび第２の主面２ｂの間であって第３の側面３ｃと対向するように開口部３ｄが設けられている。開口部３ｄは、収納部に収納された光ディスク４００を収納部から取り出すことができる十分な大きさおよび形状を備えている。【００５０】  第１の主面２ａおよび第２の主面２ｂには収納部に収納された光ディスク４００の一部を露出するように開口窓１３がそれぞれ設けられている。また、光ディスク４００への記録の禁止を示すため記録禁止用識別穴１０ｂ、１０ｅが第１の主面２ａおよび第２の主面２ｂにそれぞれ設けられている。【００５１】  第１の側面３ａおよび第２の側面３ｂの第３の側面３ｃ側にはそれぞれオートローディング引っ掛け７ａ、７ｂがそれぞれ設けられている。オートローディング引っ掛け７ａ、７ｂは、開口部３ｄ側の側面が傾斜した凹部形状を有している。また、第１の側面３ａおよび第２の側面３ｂの開口３ｄ側にはグリッパースロット６ａ、６ｂがそれぞれ設けられている。グリッパースロット６ａ、６ｂは矩形の凹部形状を有している。図１Ａおよび図１��に示すように、オートローディング引っ掛け７ａ、７ｂおよびグリッパースロット６ａ、６ｂはそれぞれ第１の主面２ａおよび第２の主面２ｂに達しており、第１の主面２ａおよび第２の主面２ｂにそれぞれの断面形状を有する開口が形成されている。このため、光ディスク装置に備えられた突起は、第１の主面２ａ側および第２の主面２ｂ側から垂直にオートローディング引っ掛け７ａ、７ｂおよびグリッパースロット６ａ、６ｂ内へ挿入することができる。したがって、カートリッジ本体２は第１の主面２ａおよび第２の主面２ｂのいずれが光ディスク装置のピックアップと対向するようにも光ディスク装置内へ装填することもできる外形を備えている。【００５２】  第１の主面２ａおよび第２の主面２ｂには光ディスク４００の一部を露出し、光ディスクに記録再生のための光ヘッドがアクセス可能なように開口窓１３がそれぞれ設けられている。【００５３】  シャッタ５は、第１の主面２ａおよび第２の主面２ｂの開口窓１３を開閉するようにカートリッジ本体２に移動可能に支持されている。具体的には、カートリッジ５は、第１の主面２ａおよび第２の主面２ｂの開口窓１３をそれぞれ覆う一対の主部と、一対の主部を接続する接続部とからなる。接続部は、第３の側面３ｃに沿って第１の側面３ａ側および第２の側面３ｂ側に移動することが可能なように第３の側面３ｃに取り付けられている。このため、第１の主面２ａおよび第２の主面２ｂのどちらの面が光ディスク装置のピックアップと対向するように光ディスク装置に装填されても、光ディスク装置内においてシャッタの一方向に移動させて開口窓１３を開放させることができる。【００５４】  カートリッジ本体２の第１の主面２ａおよび第２の主面２ｂには、光ディスク装置内におけるディスクカートリッジ１の位置決めを行うためのアライメントピンが挿入される穴８ａから８ｄが設けられている。具体的には、第１の主面２ａおよび第２の主面２ｂには、第１の側面３ａおよび第２の側面３ｂに対して垂直な方向に長手方向を有する長穴形状のアライメント穴８ａ、８ｃがそれぞれ設けられている。また、第１の主面２ａおよび第２の主面２ｂに、円形形状のロケーション穴８ｂ、８ｄが設けられている。アライメント穴８ａおよびロケーション穴８ｄは第１の側面３ａに近接しており、アライメント穴８ｃおよびロケーション穴８ｂは第２の側面３ｂに近接している。アライメント穴８ａ、８ｃ、ロケーション穴８ｂ、８ｄは貫通孔であってもよく、アライメントピンが埋没する所定の深さ（例えば１．２ｍｍ以上）を有する非貫通の穴であってもよい。【００５５】  以下において詳細に説明するように、カートリッジ本体２の第１の主面２ａには、記録禁止用識別穴１０ｂ、１０ｃがそれぞれ設けられている。記録禁止用識別穴１０ｂ、１０ｃが開放した状態である場合、光ディスク装置は、光ディスク装置に設けられた検出部により録禁止用識別穴１０ｂ、１０ｃの開放状態を検出する。検出結果に基づき、光ディスク装置はディスクカートリッジ１の光ディスク４００への記録を行わないよう設定される。【００５６】  また、以下において詳細に説明するように、記録禁止用識別穴１０ｂ、１０ｃのうち、記録禁止用識別穴１０ｃにのみ���記録禁止用識別穴１０ｃが開放した状態と閉塞した状態とを設定することのできる記録可否設定機構１０ａが設けられている。【００５７】  蓋４は、カートリッジ本体２の開口部３ｄを開閉する。図２は、蓋４が開口部３ｄを開放した状態を示している。蓋４は、カートリッジ本体２の開口部３ｄおよび第２の側面３ｂに近接した位置に設けられた回動軸４ａの周りに回動可能なようにカートリッジ本体２に取り付けられている。図２に示すように、回同軸４ａが設けられた一端とは反対側の端部には、開口部３ｄを閉じた際、カートリッジ本体２と係合する係合部４ｇが設けられている。【００５８】  一度でも蓋４が開けられた場合、ディスクカートリッジ１から光ディスク４００は取り出された可能性がある。このため、蓋４が開けられたことを示す爪がディスクカートリッジ１には設けられている。本実施形態では、爪は、脱離可能なように蓋４に取り付けられたロックピン４ｂである。図３は、蓋４に設けられたロックピン４ｂ近傍の構造を拡大して示している。図３に示すように、ロックピン４ｂは複数の細い接続部４ｃによって蓋４に取り付けられている。カートリッジ本体２の第１の主面２ａにはロックピン４ｂと係合する穴９が設けられ、蓋４が一度も開けられていない状態では、ロックピン４ｂが穴９の開口の少なくとも一部を塞ぐようにロックピン４ｂが穴９に挿入されている。【００５９】  図３に示されていないが、図１Ｂに示すように、ロックピン４ｂは第２の主面２ｂ側にも伸びており、第２の主面２ｂに設けられた穴９に挿入され、穴９の開口の一部を塞いでいる。したがって、一度も蓋４が開けられたことがなければ、第１の主面２ａおよび第２の主面２ｂの穴９はロックピン４ｂで塞がれたままである。したがって穴９は取り出し履歴を示す。【００６０】  蓋４を回転させてディスクカートリッジ１に収納された光ディスク４００を取り出すには、ロックピン４ｂをボールペンの先端のとがったもので押す。これにより、接続部４ｃが破断し、ロックピン４ｂが蓋４から脱離する。また、第１の主面２ａおよび第２の主面２ｂの穴９とロックピン４ｂとの嵌合が解消する。蓋４の係合部４ｇを押さえながら回転させると、開口部３ｄが開放される。ロックピン４ｂが蓋４から脱離したディスクカートリッジ１では、第１の主面２ａおよび第２の主面２ｂの穴９は開いたままである。このため、光ディスク装置は、ディスクカートリッジ１が装填された場合、穴９が開放されているかどうかを検出し、検出結果に基づいて、ディスクカートリッジ１が装填された場合の動作を決定する。たとえば、穴９が開放されていることを検出した場合、光ディスク４００が取り出された可能性があるので、記録を行う前に光イディスク４００の欠陥検査を行う。【００６１】  本実施形態では、爪となるロックピン４ｂは蓋４に設けられているが、ロックピンは、第１の主面２ａおよび第２の主面２ｂの穴９の一部を塞ぐように接続部によってカートリッジ本体２に脱離可能に取り付けられていてもよい。この場合には、カートリッジ本体２に取り付けられたロックピンと係合する貫通穴などの係合部が蓋４に設けられる。【００６２】  また、本実施形態では、蓋４は回動軸４ａ周りに回動するようにカ���トリッジ本体２に支持される構造を備えているが、蓋４は開口部３ｄを開閉できる限り他の構造を備えていてもよい。たとえば、蓋４は一対の腕状保持部を有し、蓋４をカートリッジ本体２から引き抜く際、腕状保持部により光ディスク３００を挟むように保持する構造を備えていてもよい。また、特許文献２に開示されるように、蓋４がシャッタと共に開く構造を備えていてもよい。【００６３】  次に、記録禁止用識別穴１０ｂ、１０ｃを詳しく説明する。図４Ａは第１の主面２ａに設けられた記録禁止用識別穴１０ｂ近傍の構造を拡大して示しており、図４Ｂは第２の主面２ｂに設けられた記録禁止用識別穴１０ｃおよび記録可否設定機構１０ａ近傍の構造を拡大して示している。図１Ａおよび図１Ｂと同様、これらの図は第３の側面３ｃおよび開口３ｄをそれぞれ上下に位置するように示されている。【００６４】  前述したように、光ディスク装置に光ディスクを収納したディスクカートリッジを水平にした状態で装填した場合、これらの下側の面（裏面）に光ピックアップがアクセスし、データの記録再生を行う。このとき、ディスクカートリッジは、下側の面に設けられたアライメント穴、ロケーション穴、記録禁止用識別穴、取り出し履歴を示す穴の開閉状態を検出する。したがって、記録禁止用識別穴１０ｂは、第１の主面２ａと対向する光ディスクの記録面に対する記録の禁止を設定するために用いられる。同様に、記録禁止用識別穴１０ｃは、第２の主面２ｂと対向する光ディスクの記録面に対する記録の禁止を設定するために用いられる。【００６５】  図４Ａおよび図４Ｂに示すように、第２の主面２ｂの記録禁止用識別穴１０ｃには記録可否設定機構１０ａが設けられているが、第１の主面２ａの記録禁止用識別穴１０ｂには記録可否設定機構１０ａが設けられていない。このため、ユーザは、第１の主面２ａの記録禁止用識別穴１０ｂを塞ぐことはできない。つまり、ディスクカートリッジ１において、収納された光ディスク４００の第１の主面２ａに対向する面には常に記録ができない。【００６６】  一方、第２の主面２ｂの記録禁止用識別穴１０ｃには記録可否設定機構１０ａが設けられている。本実施形態では、記録可否設定機構１０ａは、第２の主面２ｂの表面に設けられた溝部１０ｄおよび溝部１０ｄに沿って移動可能に設けられた摺動子１０ｅを含む。溝部１０ｄは、第２の主面２ｂの表面に設けられた凹部であり、記録禁止用識別穴１０ｃは溝部１０ｄの底部に設けられている。溝部１０ｄに設けられた摺動子１０ｅの上面は第２の主面２ｂの表面とほぼ同じ高さに位置している。【００６７】  なお、本実施形態では、記録可否設定機構１０ａはカートリッジ本体２に設けられているが、記録禁止用識別穴１０ｃを開放した状態および閉塞した状態にすることができる限り、記録可否設定機構１０ａは蓋４に設けられてもよい。また、記録可否設定機構は、摺動子と溝部との組み合わせに限られず、他の構造を備えていてもよい。【００６８】  図４Ｂは、記録禁止用識別穴１０ｃが開放された状態を示しており、この状態でディスクカートリッジ１が光ディスク装置に装填された場合、光ディスク装置は記録禁止用識別穴１０ｃが開放されていることを検出する。このため、光ディ���ク装置は、ディスクカートリッジ１に収納された光ディスク４００の第２の主面２ｂに対向する面に対する記録動作を禁止する。【００６９】  ユーザは摺動子１０ｅを移動させることによって記録禁止用識別穴１０ｃを閉塞した状態にすることができる。この状態で、ディスクカートリッジ１が光ディスク装置に装填された場合、光ディスク装置は記録禁止用識別穴１０ｃが閉塞されていることを検出する。このため、光ディスク装置は、ディスクカートリッジ１に収納された光ディスク４００の第２の主面２ｂに対向する面に対する記録動作を許可する。このように、ユーザは、記録可否設定機構１０ａによって、ディスクカートリッジ１に収納された光ディスク４００の第２の主面２ｂに対向する面に対する記録の可否を設定することができる。【００７０】  光ディスク装置におけるディスクカートリッジ１の位置決めは、ロケーション穴８ｂ、８ｄおよびアライメント穴８ａ、８ｃを基準とする。このため、記録禁止用識別穴１０ｂ、１０ｃの位置もこれらを基準に規定されることが好ましく、記録禁止用識別穴１０ｂ、１０ｃに近接しているロケーション穴８ｂ、８ｄを基準として規定されることが好ましい。光ディスク４００がＤＶＤ−ＲＡＭである場合には、ロケーション穴８ｂ、８ｄの位置はＪＩＳ規格Ｘ６２４４に規定されている。具体的には、ロケーション穴８ｂの中心点は、図４Ａに示すように、蓋４の外面からの距離をＬ１とし、第２の側面３ｂからの距離をＬ２とした場合、Ｌ１およびＬ２は、２２．８ｍｍ≦Ｌ１≦２３．２ｍｍおよび１１．０ｍｍ≦Ｌ２≦１１．４ｍｍを満たす。また、ロケーション穴８ｂの大きさＲ１は４．００ｍｍ≦Ｒ１≦４．０５ｍｍを満たす。【００７１】  記録禁止用識別穴１０ｂの中心点は、ロケーション穴８ｂの中心点からみて蓋４の方向に距離Ｌ５だけ離れており、第１の側面３ａ（図１Ａ）の方向に距離Ｌ６だけ離れている。Ｌ５およびＬ６は、１８．４５ｍｍ≦Ｌ５≦１８．５５ｍｍおよび８．９５ｍｍ≦Ｌ６≦９．０５ｍｍを満たしている。また、記録禁止用識別穴１０ｂの大きさＲ２は、３．１ｍｍ≦Ｒ２≦３．２ｍｍを満たし、深さＤ１は５．０ｍｍ≦Ｄ１を満たす。【００７２】  一方、ロケーション穴８ｄの中心点は、図４Ｂに示すように、蓋４の外面からの距離がＬ１であり、第２の側面３ｂからの距離がＬ２である。【００７３】  記録禁止用識別穴１０ｃの中心点は、ロケーション穴８ｃの中心点からみて蓋４の方向に距離Ｌ３だけ離れており、第２の側面３ｂ（図１Ｂ）の方向に距離Ｌ４だけ離れている。Ｌ３およびＬ４は、１８．３ｍｍ≦Ｌ３≦１８．７ｍｍおよび８．８ｍｍ≦Ｌ４≦９．２ｍｍを満たす。また、記録禁止用識別穴１０ｃの大きさＲ３は３．００ｍｍ≦Ｒ３であり、深さＤ２は５．０ｍｍ≦Ｄ２である。【００７４】  記録禁止用識別穴１０ｂは、光ディスク装置に設けられた検出部によって確実に検出され、ディスクカートリッジ１に収納された光ディスク４００の第１の主面２ａに対向する面への記録を確実に禁止する必要がある。このため、記録禁止用識別穴１０ｂの中心点の寸法公差を記録禁止用識別穴１０ｃよりも小さくしている。また、記録禁止用識別穴１０ｂの直径の公差を記録禁止用識別穴１０ｃの最小値���りも大きくし、最大値を小さくすることにより、光ディスク装置が記録禁止用識別穴１０ｂを誤検知することを抑制している。上述した範囲に記録禁止用識別穴１０ｂの位置および大きさを設定することにより、誤検出の可能性を低減し、光ディスク装置にディスクカートリッジ１に収納された光ディスク４００の第１の主面２ａに対向する面への記録を確実に禁止させることができる。【００７５】  次に図５および図６を参照してディスカートリッジ１へのデータの記録を説明する。図５に示すように、光ディスク４００は片面書換型であり、データ記録面４００Ｂとデータの記録ができない非記録面４００Ａとを含む。非記録面４００Ａは、光ディスク４００の容量やディスクの種別が記されたレーベル面（同図ではディスクの種別としてＤＶＤ−ＲＡＭが記入されたレーベル面）であってもよいし、データ記録層が形成されているがデータの記録ができない処理が施されていてもよい。データ記録面４００Ｂには書換可能なデータ記録層が形成されている。このデータ記録層には、ユーザデータを記録するデータ領域およびデータ領域の内周側に設けられたデータの帰属を示す情報を記録するリードイン領域が設けられている。【００７６】  光ディスク４００は、非記録面４００Ａが記録禁止用識別穴１０ｂの設けられた第１の主面２ａに対向しており、データ記録面４００Ｂが記録禁止用識別穴１０ｃの設けられた第２の主面２ｂに対向している。記録禁止用識別穴１０ｃには記録可否設定機構１０ａが設けられている。ディスカートリッジ１は、この状態で光ディスク４００を収納しており、図１Ａおよび図１Ｂに示すようにロックピン４ｂが穴９を塞いでいる。ユーザは、記録可否設定機構１０ａを用いて記録禁止用識別穴１０ｃを閉塞した状態または開放した状態のいずれにも任意に設定することができる。【００７７】  ディスカートリッジ１を光ディスク装置内へ第１の主面２ａおよび非記録面４００Ａを上にし、第２の主面２ｂおよびデータ記録面４００Ｂが光ピックアップと対向するように装填した（図５に示す状態）場合、光ディスク装置は、第２の主面２ｂの記録禁止用識別穴１０ｃが開放しているか閉塞しているかを検出し、検出結果に基づいて、データ記録面４００Ｂへの記録動作を行ったり、データ記録面４００Ｂへの記録を禁止する。具体的には、ユーザが記録可否設定機構１０ａにより記録禁止用識別穴１０ｃを開放させている場合には、記録が禁止され、ユーザが記録可否設定機構１０ａにより記録禁止用識別穴１０ｃを閉塞させている場合には、記録動作を許可する。【００７８】  図１Ａおよび図１Ｂを参照して説明したように、カートリッジ本体２は、第１の主面２ａおよび第２の主面２ｂのいずれが光ディスク装置のピックアップと対向するようにも光ディスク装置内へ装填することもできる外形を備えている。このため、ディスカートリッジ１を光ディスク装置内へ第２の主面２ｂおよびデータ記録面４００Ｂを上にし、第１の主面２ａおよび非記録面４００Ａが光ピックアップと対向するように装填することもできる（図５において上下を逆にした状態）。この場合、光ディスク装置は、第２の主面２ｂの記録禁止用識別穴１０ｃが開放していることを検知し、非記録面４０��Ａへの記録を禁止する。記録禁止用識別穴１０ｃの検出は、少なくともディスクカートリッジ１の光ディスク装置への装填が完了した時点で行われるため、たとえば光ディスク装置は、ディスクカートリッジ１の光ディスク装置への装填が完了後、記録ができないことを表示するなどを行ない、ユーザに警告を発することができる。つまり、光ピックアップが実際に非記録面４００Ａにアクセスする前にユーザに警告できるため、ユーザは、ディスクカートリッジ１の装填直後に、ディスクカートリッジ１の装填方向（表裏）が誤っていたことに気づくことができる。【００７９】  ユーザがロックピン４ｂ（図１Ａ、図３）を取り、蓋４を開放することによって光ディスク４００を取り出した後、再び図５に示すように光ディスク４００をディスクカートリッジ１へ収納した場合を考える。このとき、光ディスク４００の非記録面４００Ａが記録禁止用識別穴１０ｂの設けられた第１の主面２ａに対向しており、データ記録面４００Ｂが記録禁止用識別穴１０ｃの設けられた第２の主面２ｂに対向している。このため、ロックピン４ｂが取り去られて取り出し履歴を示す穴９（図１Ａ、１Ｂ）が開放していることを除けば、ディスクカートリッジ１の状態は前述の状態と同じである。したがって、光ディスク装置１は、取り出し履歴を示す穴９の開放を検知した後、必要に応じて欠陥検査などの動作を行い、上述したように動作を行う。【００８０】  次に、ユーザがロックピン４ｂを取り、蓋４を開放することによって光ディスク１を取り出した後、光ディスク４００の表裏（上下）を逆にしてディスクカートリッジ１に収納した場合を考える。このとき、図６に示すように、光ディスク４００の非記録面４００Ａは記録禁止用識別穴１０ｃの設けられた第１の主面２ａに対向しており、データ記録面４００Ｂは記録禁止用識別穴１０ｃの設けられた第２の主面２ｂに対向している。【００８１】  図６に示すように光ディスク４００を収納したディスクカートリッジ１が第２の面２ｂを上にして第１の面２ａが光ピックアップと対向するように光ディスク装置に装填された場合、光ディスク装置は、第１の主面２ａの記録禁止用識別穴１０ｂが開放していることを検知し、非記録面４００Ａへの記録を禁止する。第１の面２ａにはデータ記録面４００Ｂが対応しているため、光ディスク装置は再生指令をユーザから受けると、データ記録面４００Ｂに記録されたデータを再生することができる。【００８２】  このようなディスクカートリッジ１の向きに対する光ディスク４００の向きは適切ではない。しかし、ユーザが誤ってこのような向きの組み合わせで光ディスク４００を挿入することも考えられる。また、片面書換型の光ディスクが収納されていたディスクカートリッジ１の第１の主面２ａは通常使用されないので、記録禁止の目的でユーザが故意にこのような向きの組み合わせで光ディスク４００を挿入することも考えられる。【００８３】  いずれの場合であっても、不適切な使用状況において最も重要なことは、データ記録面４００Ｂにすでに記録されたデータが、誤って書き換えられるのを防止することである。本実施形態のディスクカートリッジ１によれば、第１の主面２ａに設けられた記録禁止用識別穴１０���には、記録可否設定機構１０ａが設けられていないため、ユーザは記録禁止用識別穴１０ｂを塞ぐことができず、このような使用状態においても、データ記録面４００Ｂへの記録が禁止される。このため、ユーザがすでに記録したデータを誤って消去することが防止される。【００８４】  なお、図６に示すように光ディスク４００がディスクカートリッジ１に収納されている状態で、第２の主面２ｂが光ピックアップと対向するように光ディスク装置に収納された場合、光ディスク装置は記録禁止用識別穴１０ｃが開放しているか閉塞しているかによって記録動作を行おうとする。しかし、光ピックアップが対向しているのは非記録面４００Ａであるため、実際にはデータの記録を行うことができない。【００８５】  本発明のディスクカートリッジ１は、例えばポリカーボネイト樹脂、ＡＢＳ樹脂、ポリスチレン樹脂等を用いて、射出成形により製造される。これまで説明したように、ディスクカートリッジ１は、どちらの面を上にして光ディスク装置に装填することも可能な外形を備えている。つまり、図１１Ａおよび図１１Ｂに示した、両面書換型のディスクカートリッジと外形はほぼ同じであり、記録禁止用識別穴１０ｂ、１０ｃ近傍の構造のみが異なる。したがって、記録禁止用識別穴１０ｂ、１０ｃ近傍の構造を成形する入れ子構造の金型を用いることによって、図１１Ａおよび図１１Ｂに示す両面書換型のディスクカートリッジと同じ金型を用いて、片面書換型である本発明のディスクカートリッジ１を製造することができる。このため、片面書換、型のディスクカートリッジ１と両面書換型のディスクカートリッジ３１とを大がかりな金型の入れ替えを行うことなく生産することができ、製造時間の短縮を図ることができる。また、片面書換型のディスクカートリッジ１および両面書換型のディスクカートリッジ３１それぞれの専用金型を用意する必要がないため、金型に要するコストを抑制し、片面書換型のディスクカートリッジの製造コストを低減することができる。【００８６】  このように本実施形態のディスクカートリッジによれば、カートリッジ本体の２つの主面にそれぞれ設けられ記録禁止用識別穴のうち、一方にのみ記録可否設定機構が設けられている。このため、非記録面を有する片面書換型の光ディスクが、非記録面と記録可否設定機構が設けられていない記録禁止用識別穴の主面とが対向するように光ディスクがディスクカートリッジに装填されている場合には、光ディスク装置が記録禁止用識別穴が開放されていることを検出し、光ピックアップが非記録面にアクセスする前に非記録面であることを検出することができる。【００８７】  また、記録禁止用識別穴の一方には、記録可否設定機構が設けられていないため、ユーザがディスクカートリッジから光ディスクをいったん取り出し、誤った方向で光ディスクをディスクカートリッジ内に収納した場合でも、光ディスクのデータ記録面への書換が禁止されるため、データ記録面に記録されたデータが誤って書き換えられることが防止される。【００８８】  また、本実施形態のディスクカートリッジによれば、どちらの面を上にして光ディスク装置に装填することもできる外形をカートリッジ本体が備えているため、両面書換型のディスクを収納するディスクカートリッジとおなじ金型を用いて本実施形態のディスクカートリッジを製造することができる。このため、ディスクカートリッジの製造コストを低減することができる。【００８９】  なお、本実施形態では、ディスクカートリッジは書換型データ記録媒体を収納しているが、追記型データ記録媒体を収納していてもよい。追記型データ記録媒体をディスクカートリッジが収納している場合には、誤収納時にユーザの意図しない追記やデータの消去を防止することができる。
【産業上の利用可能性】
【００９０】  本発明ディスクカートリッジは、片面にデータ記録層を有するデータ記録媒体に好適に用いられ、特に、光学的にデータを記録再生する片面書換型の光ディスクに好適に用いられる。
【図１Ａ】
2006035768.tif 000002
【図１Ｂ】
2006035768.tif 000003
【図２】
2006035768.tif 000004
【図３】
2006035768.tif 000005
【図４Ａ】
2006035768.tif 000006
【図４Ｂ】
2006035768.tif 000007
【図５】
2006035768.tif 000008
【図６】
2006035768.tif 000009
【図７】
2006035768.tif 000010
【図８】
2006035768.tif 000011
【図９Ａ】
2006035768.tif 000012
【図９Ｂ】
2006035768.tif 000013
【図９Ｃ】
2006035768.tif 000014
【図１０Ａ】
2006035768.tif 000015
【図１０Ｂ】
2006035768.tif 000016
【図１１Ａ】
2006035768.tif 000017
【図１１Ｂ】
2006035768.tif 000018
【手続補正書】
【提出日】平成18年10月31日(2006.10.31)
【手続補正１】
【補正対象書類名】特許請求の範囲
【補正対象項目名】全文
【補正方法】変更
【補正の内容】
【特許請求の範囲】
【請求項１】
互いに対向する第１および第２の主面と、前記第１および第２の主面に挟まれており、ディスク状のデータ記録媒体を収納する収納部と、前記収納部に収納されたデータ記録媒体の一部を露出するように前記第１および第２の主面に設けられ開口窓と、前記第１および第２の主面との間に位置しており前記収納部に収納されたデータ記録媒体を前記収納部から取り出すことができるように設けられた開口部と、前記収納部に収納されたデータ記録媒体への記録の禁止を示すための前記第１および第２の主面にそれぞれ設けられた記録禁止用識別穴とを有するカートリッジ本体、
前記第１および第２の主面に設けられ開口窓を開閉するように前記カートリッジ本体に対して移動可能に支持されたシャッタ、および、
前記カートリッジ本体の開口部を開閉する蓋、
を備え、
前記カートリッジ本体は、前記第１および第２の主面のいずれが光ディスク装置のピックアップと対向するようにも、前記光ディスク装置に装填可能な外形を有し、
前記第１および第２の主面の記録禁止用識別穴のうち、前記第２の主面の記録禁止用識別穴にのみ、前記記録禁止用識別穴が開放した状態および閉塞した状態を設定し得る記録可否設定機構を備えたディスクカートリッジ。
【請求項２】
前記カートリッジ本体は、
前記開口部にそれぞれ隣接しており、互いに対向する第１および第２の側面と、
前記第１および第２の側面に隣接しており、前記開口部に対向する第３の側面と、
前記第１および第２の側面の前記開口部側に設けられたグリッパースロット部と、
前記第１および第２の側面の前記第３の側面側に設けられたオートローディング引っ掛けと、
をさらに有する請求項１に記載のディスクカートリッジ。
【請求項３】
前記グリッパースロット部および、前記オートローディング引っ掛けはそれぞれ凹部形状を有し、前記グリッパースロット部および前記オートローディング引っ掛けは前記第１および第２の側面に開口が形成されるように前記第１および第２の側面にそれぞれ達している請求項２に記載のディスクカートリッジ。
【請求項４】
前記蓋は、前記カートリッジ本体に対して回動可能なようにその一端近傍において支持されている請求項１に記載のディスクカートリッジ。
【請求項５】
前記蓋または前記カートリッジ本体は、脱離可能なように取り付けられた爪部を有し、
前記カートリッジ本体または前記蓋は前記爪部と係合する係合部を有する請求項１に記載のディスクカートリッジ。
【請求項６】
前記カートリッジ本体において、前記第３の側面および前記開口部がそれぞれ上下に位置するように配置した場合において前記第１の主面の右側に前記第２の側面は位置しており、
前記カートリッジ本体は、前記蓋の外面から２２．８ｍｍ以上２３．２ｍｍ以下であり、前記第２の側面から１１．０ｍｍ以上１１．４ｍｍ以下の範囲内の領域にある点を中心とする直径４．００ｍｍ以上４．０５ｍｍ以下の円形形状のロケーション穴を前記第１の主面に有し、
前記記録禁止用識別穴は、前記ロケーション穴の中心点から前記蓋方向に向かって１８．４５ｍｍ以上１８．５５ｍｍ以下であり、前記ロケーション穴の中心点から前記第１の側面方向に８．９５ｍｍ以上９．０５ｍｍ以下の範囲の内の領域にある点を中心点とし、３．１ｍｍ以上３．２ｍｍ以下の直径の円形形状を有する請求項１記載のカートリッジ。
【請求項７】
前記データ記録媒体をさらに備え、
前記データ記録媒体は、片面にのみ記録可能なデータ記録層を有し、前記データ記録層は、前記第２の主面と対向するように前記カートリッジ本体の収納部に収納されている請求項１から５のいずれかに記載のディスクカートリッジ。
【請求項８】
前記データ記録層は、ユーザデータを記録するデータ領域及び前記データ領域の内周にデータの帰属を示す情報を記録するリードイン領域を含む請求項７に記載のディスクカートリッジ。
【手続補正２】
【補正対象書類名】明細書
【補正対象項目名】全文
【補正方法】変更
【補正の内容】
【発明の詳細な説明】
【技術分野】
【０００１】
本発明は、ディスク状のデータ記録媒体を収納するディスクカートリッジに関する。
【背景技術】
【０００２】
光学的にデータを記録、再生するディスク状のデータ記録媒体（以下、光ディスクと称する）が大容量のデジタルデータを記録する媒体として、広く利用されている。光ディスクには再生専用の光ディスクと記録型の光ディスクとがある。記録型の光ディスクには、光ビームを用いて、データを１回のみ記録できる追記型（ライトワンスとも称される）光ディスクと、繰り返して書き換えることが可能な書換型光ディスクとがある。以下、記録型光ディスクとして書換型の光ディスクを例に挙げ説明する。
【０００３】
書換型の光ディスクのデータを書き換える際、光ディスクのデータ記録面の表面に埃や指紋などが付着していると、正しくデータを書き込めない可能性がある。このため、一般に、書換型の光ディスクは、データ記録面の表面に埃や指紋などが付かないようにするために、ディスクカートリッジに収納されている。
【０００４】
再生専用の光ディスクはカートリッジに収納されていないため、再生専用の光ディスクのみに対応した光ディスク装置は、ディスクカートリッジに収納された書換型の光ディスクを再生することができない。このため、書換型光ディスクを再生専用の光ディスクに対応した光ディスク装置で再生したいという要望があり、ディスクの取り出しが可能なディスクカートリッジが提案されている。
【０００５】
特許文献１は、ディスクの取り出しが可能な従来のディスクカートリッジの一例を開示している。図７に示すように、この従来のディスクカートリッジ１０１は、カートリッジ本体１０３と、蓋１０４と、シャッタ１０６とを備えている。
【０００６】
カートリッジ本体１０３は書換型の光ディスク１０２を収納する空間を備えた薄い六面体形状を有する。カートリッジ本体１０３の六面体の対向する２つの主面には、光ディスク１０２の一部を露出する開口窓１０５がそれぞれ設けられている。シャッタ１０６は、開口窓１０５を開放または閉塞するように、２つの主面に対して平行に移動する。光ディスク装置にカートリッジ１０１が装填されると、光ディスク装置に設けられたオープナとシャッタ１０５とが係合し、装填に伴って、シャッタ１０６は開口窓１０５を露出するように移動する。
【０００７】
カートリッジ本体１０３には、ディスク１０２を取り出すための開口部１０７が設けられている。開口部１０７は、六面体の1つの面に対応している。蓋１０４は、カートリッジ本体１０３の開口部１０７近傍に形成された回動軸１０８を中心に回動可能なように、その一端においてカートリッジ本体１０３に取り付けられている。
【０００８】
蓋１０４の他端には係合部１０９が設けられており、係合部１０９がカートリッジ本体１０３に設けられた係合部１１０と係合することによって開口部１０７を蓋１０４で覆った状態を維持することができる。
【０００９】
カートリッジ本体１０３の係合部１０９近傍には爪部１１１が設けられている。図８は、カートリッジ本体１０３の爪部１１１を拡大して示している。爪部１１１は、複数の箇所において、カートリッジ本体１０３と接続部１１２により接続されており、蓋１０４に設けられた溝部１１３と嵌合している。したがって、通常の使用状態では、この接続部１１２を切断し、爪部１１１をカートリッジ本体１０３から取り外さない限り、蓋１０４は回動できない。このため、爪部１１１を取り外さなければ光ディスク１０２を取り出すことはできない。
【００１０】
また、蓋１０４には記録禁止用識別穴１１４および記録禁止用識別穴１１４が開いた状態および閉じた状態にするための可動子１１５が設けられている。ディスクカートリッジ１０１が装填される光ディスク装置は、記録禁止用識別穴１１４が開いているかどうかを識別し、記録禁止用識別穴１１４の開閉状態に応じてディスクカートリッジ１０１内の光ディスク１０２への記録動作を行う。たとえば、可動子１１５が記録禁止用識別穴１１４を塞いだ状態では、光ディスク１０２への記録が可能であり、可動子１１５が記録禁止用識別穴１１４を塞いでいない状態では、光ディスク１０２への記録が禁止される。可動子１１５はユーザが移動させることができる。つまり、ユーザが、光ディスク１０２への記録の可否を設定することができる。
【００１１】
図９Ａから図９Ｃを参照して光ディスク１０２の取り出し手順を説明する。図９Ａに示すように、光ディスク１０２が一度も取り出されたことのないディスクカートリッジ１０１には、爪部１１１が設けられている。図９Ａに示される接続部１１２を切断して爪部１１１を取り外すと図９Ｂに示す状態となる。爪部１１１の取り外しによって、蓋１０４の溝部１１３と爪部１１１の嵌合が解ける。蓋１０４を回動軸１０８周りに回動させて、開口窓１０７を開放する。これにより、図９Ｃに示すように光ディスク１０２を取り出すことができる。
【００１２】
光ディスク１０２を一度取り出したディスクカートリッジ１０１には爪部１１１はない。このため、収納されているディスク１０２を取り出したかどうか、ユーザは識別することができる。また、この爪部１１１の有無を光ディスク装置が検出することにより、ディスクへの適切な記録方法を設定することができる。例えば、光ディスク１０２がディスクカートリッジ１０１から取り出されると、記録に影響が出る程度の指紋や埃が付着するおそれがあると仮定する。この場合、爪部１１１が光ディスク１０２にあれば、光ディスク１０２はディスクカートリッジ１０１から一度も取り出されていない。したがって光ディスク１０２に指紋や埃が付着している可能性は低く、光ディスク１０２へ正しい記録が可能である。一方、光ディスク１０２に爪部１１１がなければ、光ディスク１０２は少なくとも一度はディスクカートリッジ１０１から取り出されている。このため、光ディスク１０２に指紋や埃が付着している可能性があり、光ディスク１０２へ正しくデータを記録できない可能性がある。この場合には、例えば、記録禁止用識別穴１１４が記録可能な状態であっても、記録を禁止する、あるいは欠陥検査をした後にディスクへの記録を可能する等の処理を行うことができる。
【００１３】
このような構造のディスクカートリッジは、ＤＶＤディスク用のカートリッジに採用され、ＤＶＤレコーダの普及とともに広く利用されるようになってきている。前述した特許文献１に開示された技術によって、現在普及しているＤＶＤ−ＲＡＭを収納したディスクカートリッジは、収納されているＤＶＤ−ＲＡＭディスクを取り出すことが可能である。また、光ディスク１０２がディスクカートリッジ１０１から取り出された可能性を検知することが可能であり、光ディスク装置が、検知結果に基づいて記録動作を禁止したり、ＤＶＤ−ＲＡＭディスクの欠陥検査等を行うことにより、ＤＶＤ−ＲＡＭへのデータ記録の信頼性が確保されている。
【００１４】
現在普及しているＤＶＤ−ＲＡＭディスクには、両面にデータ記録層を備えるＤＶＤ−ＲＡＭディスクと、片面にのみデータ記録層を備えるＤＶＤ−ＲＡＭディスクとが存在する。このため、それぞれのタイプに適合したディスクカートリッジが用いられている。以下、従来のＤＶＤ−ＲＡＭディスク用のディスクカートリッジをさらに説明する。
【００１５】
図１０Ａおよび図１０Ｂは、片面のみにデータ記録層を備える光ディスク２００を収納するディスクカートリッジ２１を示している。図１０Ａに示すように、ディスクカートリッジ２１は、カートリッジ本体２２と、シャッタ２５と、蓋２４とを備えている。カートリッジ本体２２は、対向する一対の主面２２ａ、２２ｂと、主面２２ａ、２２ｂの間隙を規定している一対の側面２３ａ、２３ｂおよび側面２３ａ、２３ｂに挟まれた側面２３ｃとを含む。主面２２ａ、２２ｂおよび側面２３ａ、２３ｂ、２３ｃは、平行六面体の６つの面を形成している。カートリッジ本体２２において、側面２３ｃに対向する面には開口部２３ｄが設けられている。カートリッジ本体２２の開口部２３ｄおよび側面２３ｂに近接した位置には、回動軸２３ａが設けられており、蓋２４が回同軸２３ａ周りに回動するように取り付けられている。
【００１６】
主面２２ａ、２２ｂにはそれぞれ光ディスク１０２の一部を露出する開口窓２９が設けられている。シャッタ２５は、主面２２ａ、２２ｂの開口窓２９をそれぞれ覆う一対の主部と、一対の主部を接続する接続部とからなる。接続部が側面２３ｃに沿って移動することにより、主部が開口窓２９を閉塞または開放する。
【００１７】
側面２３ａ、２３ｂの開口部２３ｄ側には凹形状に陥没したグリッパースロット２６ａ、２６ｂがそれぞれ設けられている。また、側面２３ａ、２３ｂの側面２３ｃ側にはＶ字形状に陥没したオートローディング引掛け（オートローディングディテントとも称される）２７ａ、２７ｂがそれぞれ設けられている。グリッパースロット２６ａ、２６ｂには、光ディスク装置が備える突起が嵌合し、光ディスク装置内においてディスクカートリッジ２１の位置決めを行う。グリッパースロット２６ａ、２６ｂの凹形状およびオートローディング引掛け２７ａ、２７ｂのＶ字形状は主面２２ｂに達し、主面２２ｂに連通した開口が形成されているが、主面２２ａには達していない。このため、図１０Ａにおいてグリッパースロット２６ａ、２６ｂの凹形状およびオートローディング引掛け２７ａ、２７ｂは破線で示されている。
【００１８】
蓋２４には光ディスク２００のデータ記録層が記録可能であるか記録禁止であるかを識別する記録禁止識別子２８ａが設けられている。記録禁止識別子２８ａはスライドスイッチであり、スライドすることによって、カートリッジ本体２２の所定の領域に穴が開いた状態と穴が閉塞した状態とを形成しうる。図示しない光ディスク装置のトレイに設けられた検出機構は、穴の有無を検出する。穴が形成されている場合には、光ディスク装置は、記録不可の状態であると判定し、穴が塞がれている場合は記録可能な状態であると判定する。
【００１９】
蓋２４にはさらにロックピン（爪）３０ａが設けられ、ロックピン３０ａが主面２２ａ及び２２ｂに設けられた孔２４ｅと係合することによって、蓋２４が回動軸２４ａの周りに回動するのを規制する。これにより、光ディスク２００のカートリッジ２１からの取り出しを禁止している。図１０Ｂに示すようにロックピン３０ａを除去することによって、ロックピン３０ａと孔２４ｅとの係合が解け、蓋２４は回動軸２４ａの周りに回動することができる。これにより、光ディスク２００を開口部２３ｄから取り出すことができる。
【００２０】
図１０Ａ及び図１０Ｂに示したディスクカートリッジ２１が収納している光ディスク２００は片面にのみデータ記録層を有する。図１０Ａ及び図１０Ｂにおいては、光ディスク２００のデータ記録層は主面２２ｂに対向している。一方、主面２２ａと対向する光ディスク２００の面には例えばレーベルが形成されていたり、情報層を備えていてもデータの記録できない処理（例えば、光ディスク２００の内周のリードイン領域に情報を読み取れない処理を施す等）が施されている。
【００２１】
前述したように、グリッパースロット２６ａ、２６ｂおよびオートローディング引掛け２７ａ、２７ｂは主面２２ａに達しておらず、グリッパースロット２６ａ、２６ｂおよびオートローディング引掛け２７ａ、２７ｂに連通する開口が主面２２ａには形成されていない。このためユーザが誤って記録ができない面に記録を行うようにディスクカートリッジ２１を光ディスク装置に装填しようとしても、光ディスク装置のトレイにおいて、グリッパースロット２６ａ、２６ｂに嵌合するように設けられた突起が主面２２ａと当接し、ディスクカートリッジ２１を正しく装填できない。このようにして、ディスクカートリッジ２１の誤装填を防止している。また、光ディスク２００は片面にのみデータ記録層を有するため、記録禁止識別子も１つのみディスクカートリッジ２１に設けられている。
【００２２】
図１１Ａおよび図１１Ｂは、両面にデータ記録層を備える光ディスク３００を収納するディスクカートリッジ３１を示している。近年、ビデオテープに替わって光ディスクに動画映像音声信号を記録することが一般的になってきており、こうした用途では、十分な記録容量を確保するため、両面にデータ記録層を備える光ディスクが求められている。
【００２３】
図１１Ａに示すように、ディスクカートリッジ３１は、カートリッジ本体３２と、シャッタ３５と、蓋３４とを備えている。カートリッジ本体３２は、対向する一対の主面３２ａ、３２ｂと、主面３２ａ、３２ｂの間隙を規定している一対の側面３３ａ、３３ｂおよび側面３３ａ、３３ｂにはさまれた側面３３ｃとを含む。主面３２ａ、３２ｂおよび側面３３ａ、３３ｂ、３３ｃは、平行六面体の６つの面を形成している。カートリッジ本体３２において、側面３３ｃに対向する面には開口部３３ｄが設けられている。カートリッジ本体３２の開口部３３ｄおよび側面３３ｂに近接した位置には、回動軸３３ａが設けられており、蓋３４が回同軸３３ａ周りに回動するように取り付けられている。
【００２４】
主面３２ａ、３２ｂにはそれぞれ光ディスク３００の一部を露出する開口窓３９が設けられている。シャッタ３５は、主面３２ａ、３２ｂの開口窓３９をそれぞれ覆う一対の主部と、一対の主部を接続する接続部とからなる。接続部が側面３３ｃに沿って移動することにより、主部が開口窓３９を閉塞または開放する。
【００２５】
側面３３ａ、３３ｂの開口部２３ｄ側には凹形状に陥没したグリッパースロット３６ａ、３６ｂがそれぞれ設けられている。また、側面３３ａ、３３ｂの側面３３ｃ側にはＶ字形状に陥没したオートローディング引掛け３７ａ、３７ｂが設けられている。グリッパースロット３６ａ、３６ｂには、光ディスク装置が備える突起が嵌合し、光ディスク装置内においてディスクカートリッジ２３の位置決めを行う。グリッパースロット３６ａ、３６ｂの凹形状およびオートローディング引掛け３７ａ、３７ｂのＶ字形状は主面３２ａおよび主面３２ｂに達し、主面２２ａ、２２ｂにそれぞれ連通した開口が形成されている。
【００２６】
蓋３４には光ディスク３００のデータ記録層が記録可能であるか記録禁止であるかを識別する記録禁止識別子３８ａ、３８ｂが設けられている。記録禁止識別子３８ａ、３８ｂはスライドスイッチであり、スライドすることによって、カートリッジ本体２２の所定の領域に穴が開いた状態と穴が閉塞した状態とを形成しうる。図示しない光ディスク装置のトレイに設けられた検出機構は、穴の有無を検出する。穴が形成されている場合には、光ディスク装置は、記録不可の状態であると判定し、穴が塞がれている場合は記録可能な状態であると判定する。
【００２７】
蓋３４にはさらにロックピン４０ａが設けられ、ロックピン４０ａが主面３２ａ及び３２ｂに設けられた孔３４ｅと係合することによって、蓋３４が回動軸３４ａの周りに回動するのを規制する。これにより、光ディスク３００のカートリッジ３１からの取り出しを禁止している。図１１Ｂに示すようにロックピン４０ａを除去することによって、ロックピン４０ａと孔３４ｅとの係合が解け、蓋３４は回動軸３４ａの周りに回動することができる。これにより、光ディスク３００を開口部３３ｄから取り出すことができる。
【００２８】
図１１Ａおよび図１１Ｂに示すディスクカートリッジ３１が収納する光ディスク３００は両面にデータ記録層を有する光ディスクであるため、主面３２ａが光ディスク装置の光ピックアップと対向する状態および、主面３２ｂが光ディスク装置の光ピックアップと対向する状態で光ディスク装置に正しく装填される必要がある。
【００２９】
このため、前述したようにグリッパースロット３６ａ、３６ｂの凹形状およびオートローディング引掛け３７ａ、３７ｂのＶ字形状が主面３２ａおよび主面３２ｂに達し、主面２２ａ、２２ｂにそれぞれ連通した開口が形成されている。このため、ディスクカートリッジ３１のどちらの面を光ピックアップと対向するようにしても、突起がグリッパースロット２６ａ、２６ｂに嵌合し、ディスクカートリッジ３１が正しく光ディスク装置に装填される。また、前述したように、記録禁止識別子も２つディスクカートリッジ３１に設けられている。
【００３０】
このように、従来ＤＶＤ−ＲＡＭディスク用ディスクカートリッジによれば、データ記録層が片面にのみあるのか両面にあるかに応じて、ディスクカートリッジの外形が異なっており、これにより、光ディスク装置へ正しく装填できるようになっている。
【００３１】
また、記録禁止識別子を用いて、データ記録層への記録の可否をユーザが設定できるようになっており、光ディスクを取り出すことも可能である。
【特許文献１】特開平９−０４５０３２号公報
【特許文献２】特表２００１−５１３９３５号公報
【発明の開示】
【発明が解決しようとする課題】
【００３２】
近年、ＤＶＤレコーダやコンピュータの端末装置として用いるＤＶＤドライブの普及にともなって、安価な書換型ＤＶＤディスク（以下ＤＶＤディスクと称す）を提供することが求められている。また、ユーザは記録したいデータの容量に応じて、片面書換型のＤＶＤディスクと両面書換型のＤＶＤディスクとを使い分ける傾向にあり、いずれのディスクもニーズがある。
【００３３】
しかし、前述したように、片面書換型のＤＶＤディスクに対応したディスクカートリッジ２１と両面書換型のＤＶＤディスクに対応したディスクカートリッジ３１とは外形が異なっているため、２つのディスクカートリッジを製造するためには、それぞれのディスクカートリッジを製造するための金型などの製造設備が必要となる。金型等の製造設備は高価であるため、このことは、書換型ＤＶＤディスクの製造コストを低減することが困難であるという課題を生じさせる。このような課題は、書換型光ディスクのみならず、追記型の光ディスクにおいても生じ、また、光ディスク以外のデータ記録媒体においても生じる。
【００３４】
本発明は、このような課題を解決し、低コストで製造が可能な、片面記録型のデータ記録媒体を収納するディスクカートリッジを提供することを目的とする。
【課題を解決するための手段】
【００３５】
本発明のディスクカートリッジは、互いに対向する第１および第２の主面と、前記第１および第２の主面に挟まれており、ディスク状のデータ記録媒体を収納する収納部と、前記収納部に収納されたデータ記録媒体の一部を露出するように前記第１および第２の主面に設けられ開口窓と、前記第１および第２の主面との間に位置しており前記収納部に収納されたデータ記録媒体を前記収納部から取り出すことができるように設けられた開口部と、前記収納部に収納されたデータ記録媒体への記録の禁止を示すための前記第１および第２の主面にそれぞれ設けられた記録禁止用識別穴とを有するカートリッジ本体、前記第１および第２の主面に設けられ開口窓を開閉するように前記カートリッジ本体に対して移動可能に支持されたシャッタ、および、前記カートリッジ本体の開口部を開閉する蓋を備え、前記カートリッジ本体は、前記第１および第２の主面のいずれが光ディスク装置のピックアップと対向するようにも、前記光ディスク装置に装填可能な外形を有し、前記第１および第２の主面の記録禁止用識別穴のうち、前記第２の主面の記録禁止用識別穴にのみ、前記記録禁止用識別穴が開放した状態および閉塞した状態を設定し得る記録可否設定機構を備える。
【００３６】
ある好ましい実施形態において、前記カートリッジ本体は、前記開口部にそれぞれ隣接しており、互いに対向する第１および第２の側面と、前記第１および第２の側面に隣接しており、前記開口部に対向する第３の側面と、前記第１および第２の側面の前記開口部側に設けられたグリッパースロット部と、前記第１および第２の側面の前記第３の側面側に設けられたオートローディング引っ掛けとをさらに有する。
【００３７】
ある好ましい実施形態において、前記グリッパースロット部および、前記オートローディング引っ掛けはそれぞれ凹部形状を有し、前記グリッパースロット部および前記オートローディング引っ掛けは前記第１および第２の側面に開口が形成されるように前記第１および第２の側面にそれぞれ達している。
【００３８】
ある好ましい実施形態において、前記蓋は、前記カートリッジ本体に対して回動可能なようにその一端近傍において支持されている。
【００３９】
ある好ましい実施形態において、前記蓋または前記カートリッジ本体は、脱離可能なように取り付けられた爪部を有し、前記カートリッジ本体または前記蓋は前記爪部と係合する係合部を有する。
【００４０】
ある好ましい実施形態において、前記第３の側面および前記開口部がそれぞれ上下に位置するようにカートリッジ本体を配置した場合において前記第１の主面の右側に前記第２の側面は位置しており、前記カートリッジ本体は、前記蓋の外面から２２．８ｍｍ以上２３．２ｍｍ以下であり、前記第２の側面から１１．０ｍｍ以上１１．４ｍｍ以下の範囲内の領域にある点を中心とする直径４．００ｍｍ以上４．０５ｍｍ以下の円形形状のロケーション穴を前記第１の主面に有し、前記記録禁止用識別穴は、前記ロケーション穴の中心点から前記蓋方向に向かって１８．４５ｍｍ以上１８．５５ｍｍ以下であり、前記ロケーション穴の中心点から前記第１の側面方向に８．９５ｍｍ以上９．０５ｍｍ以下の範囲の内の領域にある点を中心点とし、３．１ｍｍ以上３．２ｍｍ以下の直径の円形形状を有する。
【００４１】
ある好ましい実施形態において、ディスクカートリッジは、前記データ記録媒体をさらに備え、前記データ記録媒体は、片面にのみ記録可能なデータ記録層を有し、前記データ記録層は、前記第２の主面と対向するように前記カートリッジ本体の収納部に収納されている。
【００４２】
ある好ましい実施形態において、前記データ記録層は、ユーザデータを記録するデータ領域及び前記データ領域の内周にデータの帰属を示す情報を記録するリードイン領域を含む。
【発明の効果】
【００４３】
本発明によれば、カートリッジ本体の２つの主面にそれぞれ設けられた記録禁止用識別穴のうち、一方にのみ記録禁止用識別穴を閉塞することのできる記録可否設定機構が設けられている。このため、記録可否設定機構が設けられていない記録禁止用識別穴のある主面に対向する光ディスクの面にはデータの記録が行えないことを光ディスク装置は光ピックアップがアクセスする前に判定することが可能となる。
【００４４】
また、カートリッジ本体はどちらの主面が光ピックアップと対向するようにも光ディスク装置に装填可能な外形を備えているため、両面記録型のディスクカートリッジと同じ金型を用いて製造することが可能となり、ディスクカートリッジの製造コストを低減させることができる。
【図面の簡単な説明】
【００４５】
【図１Ａ】本発明によるディスクカートリッジの実施形態を示す平面図である。
【図１Ｂ】図１Ａのディスクカートリッジの他の面を示す平面図である。
【図２】図１Ａのディスクカートリッジの蓋を開放した状態を示す平面図である。
【図３】蓋に設けられたロックピン近傍の構造を示す斜視図である。
【図４Ａ】図１Ａに示す平面図の記録禁止用識別穴１０ｂ近傍を拡大して示す図である。
【図４Ｂ】図１Ｂに示す平面図の記録禁止用識別穴１０ｃ近傍を拡大して示す図である。
【図５】図１Ａのディスクカートリッジに光ディスクが正しく収納された状態を示す図である。
【図６】図１Ａのディスクカートリッジに光ディスクが逆向きに収納された状態を示す図である。
【図７】従来のディスクカートリッジを示す平面図である。
【図８】図７のディスクカートリッジの爪部近傍を示す図である。
【図９Ａ】図７のディスクカートリッジの蓋を開放する手順を説明する図である。
【図９Ｂ】図７のディスクカートリッジの蓋を開放する手順を説明する図である。
【図９Ｃ】図７のディスクカートリッジの蓋を開放する手順を説明する図である。
【図１０Ａ】従来の片面書換型ディスクカートリッジを示す平面図である。
【図１０Ｂ】図１０Ａに示す片面書換型ディスクカートリッジの蓋を開放した状態を示す平面図である。
【図１１Ａ】従来の両面書換型ディスクカートリッジを示す平面図である。
【図１１Ｂ】図１１Ａに示す両面書換型ディスクカートリッジの蓋を開放した状態を示す平面図である。
【符号の説明】
【００４６】
１     ディスクカートリッジ
２     カートリッジ本体
４     蓋
４ｂ   ロックピン
５     シャッタ
６ａ、６ｂ      グリッパースロット
７ａ、７ｂ      オートローディング引っ掛け
８ａ、８ｃ      アライメント穴
８ｂ、８ｄ      ロケーション穴
１０ａ          記録可否設定機構
１０ｂ、１０ｃ  記録禁止用識別穴
１３    開口窓
４００  光ディスク
【発明を実施するための最良の形態】
【００４７】
以下、図面を参照しながら本発明によるディスクカートリッジの実施形態を説明する。図１Ａおよび図１Ｂは、ディスクカートリッジ１の構成を示す平面図であり、図１Ａは通常ディスクのＡ面と称される第１面をカートリッジの下側にした平面図であり、図１Ｂは通常ディスクのＢ面と称される第２面をカートリッジの下側にした平面図である。ディスクカートリッジ１は、片面にのみ書換が可能な記録面を有するディスク状のデータ記録媒体４００を収納している。以下の説明では、データ記録媒体４００が光ディスクである場合を例示する。しかし、本発明のディスクカートリッジは、光ディスクに限定されず、光磁気ディスクなど他のデータ記録媒体にも好適に用いられる。また、書換型光ディスクを例に挙げているが、データ記録媒体は記録型であればよく、追記型であってもよい。
【００４８】
通常、光ディスク装置に光ディスクあるいは光ディスクを収納したディスクカートリッジを水平にした状態で装填した場合、これらの下側の面（裏面）に光ピックアップがアクセスし、データの記録再生を行う。しかし、ユーザが光ディスクあるいはディスクカートリッジを手にとって見る場合、下側の面（裏面）は、ユーザに対向する面ではなく、下側の面はユーザに見えない。このため、ディスクを識別するための「Ａ面」、「Ｂ面」といったラベルは反対の面に記されている。たとえばＡ面と記されている面が見えるようにユーザが手に取り、光ディスク装置に光ディスクあるいはディスクカートリッジを装填した場合、Ａ面と記された面の反対の面に対して、記録や再生が行われる。
【００４９】
ディスクカートリッジ１は、カートリッジ本体２と、蓋４と、シャッタ５とを備えている。カートリッジ本体２は、互いに対向する第１の主面２ａおよび第２の主面２ｂと、互いに対向する第１の側面３ａおよび第２の側面３ｂと、第３の側面３ｃとを含む。第１の側面３ａ、第２の側面２ｂおよび第３の側面３ｃは、第１の主面２ａと第２の主面２ｂとの間隙を規定するとともに、第１の主面２ａおよび第２の主面２ｂと協同して、光ディスク４００を収納する収納部を形成している。第１の主面２ａおよび第２の主面２ｂの間であって第３の側面３ｃと対向するように開口部３ｄが設けられている。開口部３ｄは、収納部に収納された光ディスク４００を収納部から取り出すことができる十分な大きさおよび形状を備えている。
【００５０】
第１の主面２ａおよび第２の主面２ｂには収納部に収納された光ディスク４００の一部を露出するように開口窓１３がそれぞれ設けられている。また、光ディスク４００への記録の禁止を示すため記録禁止用識別穴１０ｂ、１０ｅが第１の主面２ａおよび第２の主面２ｂにそれぞれ設けられている。
【００５１】
第１の側面３ａおよび第２の側面３ｂの第３の側面３ｃ側にはそれぞれオートローディング引っ掛け７ａ、７ｂがそれぞれ設けられている。オートローディング引っ掛け７ａ、７ｂは、開口部３ｄ側の側面が傾斜した凹部形状を有している。また、第１の側面３ａおよび第２の側面３ｂの開口３ｄ側にはグリッパースロット６ａ、６ｂがそれぞれ設けられている。グリッパースロット６ａ、６ｂは矩形の凹部形状を有している。図１Ａおよび図１Ｂに示すように、オートローディング引っ掛け７ａ、７ｂおよびグリッパースロット６ａ、６ｂはそれぞれ第１の主面２ａおよび第２の主面２ｂに達しており、第１の主面２ａおよび第２の主面２ｂにそれぞれの断面形状を有する開口が形成されている。このため、光ディスク装置に備えられた突起は、第１の主面２ａ側および第２の主面２ｂ側から垂直にオートローディング引っ掛け７ａ、７ｂおよびグリッパースロット６ａ、６ｂ内へ挿入することができる。したがって、カートリッジ本体２は第１の主面２ａおよび第２の主面２ｂのいずれが光ディスク装置のピックアップと対向するようにも光ディスク装置内へ装填することもできる外形を備えている。
【００５２】
第１の主面２ａおよび第２の主面２ｂには光ディスク４００の一部を露出し、光ディスクに記録再生のための光ヘッドがアクセス可能なように開口窓１３がそれぞれ設けられている。
【００５３】
シャッタ５は、第１の主面２ａおよび第２の主面２ｂの開口窓１３を開閉するようにカートリッジ本体２に移動可能に支持されている。具体的には、カートリッジ５は、第１の主面２ａおよび第２の主面２ｂの開口窓１３をそれぞれ覆う一対の主部と、一対の主部を接続する接続部とからなる。接続部は、第３の側面３ｃに沿って第１の側面３ａ側および第２の側面３ｂ側に移動することが可能なように第３の側面３ｃに取り付けられている。このため、第１の主面２ａおよび第２の主面２ｂのどちらの面が光ディスク装置のピックアップと対向するように光ディスク装置に装填されても、光ディスク装置内においてシャッタの一方向に移動させて開口窓１３を開放させることができる。
【００５４】
カートリッジ本体２の第１の主面２ａおよび第２の主面２ｂには、光ディスク装置内におけるディスクカートリッジ１の位置決めを行うためのアライメントピンが挿入される穴８ａから８ｄが設けられている。具体的には、第１の主面２ａおよび第２の主面２ｂには、第１の側面３ａおよび第２の側面３ｂに対して垂直な方向に長手方向を有する長穴形状のアライメント穴８ａ、８ｃがそれぞれ設けられている。また、第１の主面２ａおよび第２の主面２ｂに、円形形状のロケーション穴８ｂ、８ｄが設けられている。アライメント穴８ａおよびロケーション穴８ｄは第１の側面３ａに近接しており、アライメント穴８ｃおよびロケーション穴８ｂは第２の側面３ｂに近接している。アライメント穴８ａ、８ｃ、ロケーション穴８ｂ、８ｄは貫通孔であってもよく、アライメントピンが埋没する所定の深さ（例えば１．２ｍｍ以上）を有する非貫通の穴であってもよい。
【００５５】
以下において詳細に説明するように、カートリッジ本体２の第１の主面２ａには、記録禁止用識別穴１０ｂ、１０ｃがそれぞれ設けられている。記録禁止用識別穴１０ｂ、１０ｃが開放した状態である場合、光ディスク装置は、光ディスク装置に設けられた検出部により録禁止用識別穴１０ｂ、１０ｃの開放状態を検出する。検出結果に基づき、光ディスク装置はディスクカートリッジ１の光ディスク４００への記録を行わないよう設定される。
【００５６】
また、以下において詳細に説明するように、記録禁止用識別穴１０ｂ、１０ｃのうち、記録禁止用識別穴１０ｃにのみ、記録禁止用識別穴１０ｃが開放した状態と閉塞した状態とを設定することのできる記録可否設定機構１０ａが設けられている。
【００５７】
蓋４は、カートリッジ本体２の開口部３ｄを開閉する。図２は、蓋４が開口部３ｄを開放した状態を示している。蓋４は、カートリッジ本体２の開口部３ｄおよび第２の側面３ｂに近接した位置に設けられた回動軸４ａの周りに回動可能なようにカートリッジ本体２に取り付けられている。図２に示すように、回同軸４ａが設けられた一端とは反対側の端部には、開口部３ｄを閉じた際、カートリッジ本体２と係合する係合部４ｇが設けられている。
【００５８】
一度でも蓋４が開けられた場合、ディスクカートリッジ１から光ディスク４００は取り出された可能性がある。このため、蓋４が開けられたことを示す爪がディスクカートリッジ１には設けられている。本実施形態では、爪は、脱離可能なように蓋４に取り付けられたロックピン４ｂである。図３は、蓋４に設けられたロックピン４ｂ近傍の構造を拡大して示している。図３に示すように、ロックピン４ｂは複数の細い接続部４ｃによって蓋４に取り付けられている。カートリッジ本体２の第１の主面２ａにはロックピン４ｂと係合する穴９が設けられ、蓋４が一度も開けられていない状態では、ロックピン４ｂが穴９の開口の少なくとも一部を塞ぐようにロックピン４ｂが穴９に挿入されている。
【００５９】
図３に示されていないが、図１Ｂに示すように、ロックピン４ｂは第２の主面２ｂ側にも伸びており、第２の主面２ｂに設けられた穴９に挿入され、穴９の開口の一部を塞いでいる。したがって、一度も蓋４が開けられたことがなければ、第１の主面２ａおよび第２の主面２ｂの穴９はロックピン４ｂで塞がれたままである。したがって穴９は取り出し履歴を示す。
【００６０】
蓋４を回転させてディスクカートリッジ１に収納された光ディスク４００を取り出すには、ロックピン４ｂをボールペンの先端のとがったもので押す。これにより、接続部４ｃが破断し、ロックピン４ｂが蓋４から脱離する。また、第１の主面２ａおよび第２の主面２ｂの穴９とロックピン４ｂとの嵌合が解消する。蓋４の係合部４ｇを押さえながら回転させると、開口部３ｄが開放される。ロックピン４ｂが蓋４から脱離したディスクカートリッジ１では、第１の主面２ａおよび第２の主面２ｂの穴９は開いたままである。このため、光ディスク装置は、ディスクカートリッジ１が装填された場合、穴９が開放されているかどうかを検出し、検出結果に基づいて、ディスクカートリッジ１が装填された場合の動作を決定する。たとえば、穴９が開放されていることを検出した場合、光ディスク４００が取り出された可能性があるので、記録を行う前に光イディスク４００の欠陥検査を行う。
【００６１】
本実施形態では、爪となるロックピン４ｂは蓋４に設けられているが、ロックピンは、第１の主面２ａおよび第２の主面２ｂの穴９の一部を塞ぐように接続部によってカートリッジ本体２に脱離可能に取り付けられていてもよい。この場合には、カートリッジ本体２に取り付けられたロックピンと係合する貫通穴などの係合部が蓋４に設けられる。
【００６２】
また、本実施形態では、蓋４は回動軸４ａ周りに回動するようにカートリッジ本体２に支持される構造を備えているが、蓋４は開口部３ｄを開閉できる限り他の構造を備えていてもよい。たとえば、蓋４は一対の腕状保持部を有し、蓋４をカートリッジ本体２から引き抜く際、腕状保持部により光ディスク３００を挟むように保持する構造を備えていてもよい。また、特許文献２に開示されるように、蓋４がシャッタと共に開く構造を備えていてもよい。
【００６３】
次に、記録禁止用識別穴１０ｂ、１０ｃを詳しく説明する。図４Ａは第１の主面２ａに設けられた記録禁止用識別穴１０ｂ近傍の構造を拡大して示しており、図４Ｂは第２の主面２ｂに設けられた記録禁止用識別穴１０ｃおよび記録可否設定機構１０ａ近傍の構造を拡大して示している。図１Ａおよび図１Ｂと同様、これらの図は第３の側面３ｃおよび開口３ｄをそれぞれ上下に位置するように示されている。
【００６４】
前述したように、光ディスク装置に光ディスクを収納したディスクカートリッジを水平にした状態で装填した場合、これらの下側の面（裏面）に光ピックアップがアクセスし、データの記録再生を行う。このとき、ディスクカートリッジは、下側の面に設けられたアライメント穴、ロケーション穴、記録禁止用識別穴、取り出し履歴を示す穴の開閉状態を検出する。したがって、記録禁止用識別穴１０ｂは、第１の主面２ａと対向する光ディスクの記録面に対する記録の禁止を設定するために用いられる。同様に、記録禁止用識別穴１０ｃは、第２の主面２ｂと対向する光ディスクの記録面に対する記録の禁止を設定するために用いられる。
【００６５】
図４Ａおよび図４Ｂに示すように、第２の主面２ｂの記録禁止用識別穴１０ｃには記録可否設定機構１０ａが設けられているが、第１の主面２ａの記録禁止用識別穴１０ｂには記録可否設定機構１０ａが設けられていない。このため、ユーザは、第１の主面２ａの記録禁止用識別穴１０ｂを塞ぐことはできない。つまり、ディスクカートリッジ１において、収納された光ディスク４００の第１の主面２ａに対向する面には常に記録ができない。
【００６６】
一方、第２の主面２ｂの記録禁止用識別穴１０ｃには記録可否設定機構１０ａが設けられている。本実施形態では、記録可否設定機構１０ａは、第２の主面２ｂの表面に設けられた溝部１０ｄおよび溝部１０ｄに沿って移動可能に設けられた摺動子１０ｅを含む。溝部１０ｄは、第２の主面２ｂの表面に設けられた凹部であり、記録禁止用識別穴１０ｃは溝部１０ｄの底部に設けられている。溝部１０ｄに設けられた摺動子１０ｅの上面は第２の主面２ｂの表面とほぼ同じ高さに位置している。
【００６７】
なお、本実施形態では、記録可否設定機構１０ａはカートリッジ本体２に設けられているが、記録禁止用識別穴１０ｃを開放した状態および閉塞した状態にすることができる限り、記録可否設定機構１０ａは蓋４に設けられてもよい。また、記録可否設定機構は、摺動子と溝部との組み合わせに限られず、他の構造を備えていてもよい。
【００６８】
図４Ｂは、記録禁止用識別穴１０ｃが開放された状態を示しており、この状態でディスクカートリッジ１が光ディスク装置に装填された場合、光ディスク装置は記録禁止用識別穴１０ｃが開放されていることを検出する。このため、光ディスク装置は、ディスクカートリッジ１に収納された光ディスク４００の第２の主面２ｂに対向する面に対する記録動作を禁止する。
【００６９】
ユーザは摺動子１０ｅを移動させることによって記録禁止用識別穴１０ｃを閉塞した状態にすることができる。この状態で、ディスクカートリッジ１が光ディスク装置に装填された場合、光ディスク装置は記録禁止用識別穴１０ｃが閉塞されていることを検出する。このため、光ディスク装置は、ディスクカートリッジ１に収納された光ディスク４００の第２の主面２ｂに対向する面に対する記録動作を許可する。このように、ユーザは、記録可否設定機構１０ａによって、ディスクカートリッジ１に収納された光ディスク４００の第２の主面２ｂに対向する面に対する記録の可否を設定することができる。
【００７０】
光ディスク装置におけるディスクカートリッジ１の位置決めは、ロケーション穴８ｂ、８ｄおよびアライメント穴８ａ、８ｃを基準とする。このため、記録禁止用識別穴１０ｂ、１０ｃの位置もこれらを基準に規定されることが好ましく、記録禁止用識別穴１０ｂ、１０ｃに近接しているロケーション穴８ｂ、８ｄを基準として規定されることが好ましい。光ディスク４００がＤＶＤ−ＲＡＭである場合には、ロケーション穴８ｂ、８ｄの位置はＪＩＳ規格Ｘ６２４４に規定されている。具体的には、ロケーション穴８ｂの中心点は、図４Ａに示すように、蓋４の外面からの距離をＬ1とし、第２の側面３ｂからの距離をＬ2とした場合、Ｌ1およびＬ2は、２２．８ｍｍ≦Ｌ1≦２３．２ｍｍおよび１１．０ｍｍ≦Ｌ2≦１１．４ｍｍを満たす。また、ロケーション穴８ｂの大きさＲ1は４．００ｍｍ≦Ｒ1≦４．０５ｍｍを満たす。
【００７１】
記録禁止用識別穴１０ｂの中心点は、ロケーション穴８ｂの中心点からみて蓋４の方向に距離Ｌ5だけ離れており、第１の側面３ａ(図１Ａ)の方向に距離Ｌ6だけ離れている。Ｌ5およびＬ6は、１８．４５ｍｍ≦Ｌ5≦１８．５５ｍｍおよび８．９５ｍｍ≦Ｌ6≦９．０５ｍｍを満たしている。また、記録禁止用識別穴１０ｂの大きさＲ2は、３．１ｍｍ≦Ｒ2≦３．２ｍｍを満たし、深さＤ1は５．０ｍｍ≦Ｄ1を満たす。
【００７２】
一方、ロケーション穴８ｄの中心点は、図４Ｂに示すように、蓋４の外面からの距離がＬ1であり、第２の側面３ｂからの距離がＬ2である。
【００７３】
記録禁止用識別穴１０ｃの中心点は、ロケーション穴８ｃの中心点からみて蓋４の方向に距離Ｌ3だけ離れており、第２の側面３ｂ(図１Ｂ)の方向に距離Ｌ4だけ離れている。Ｌ3およびＬ4は、１８．３ｍｍ≦Ｌ3≦１８．７ｍｍおよび８．８ｍｍ≦Ｌ4≦９．２ｍｍを満たす。また、記録禁止用識別穴１０ｃの大きさＲ3は３．００ｍｍ≦Ｒ3であり、深さＤ2は５．０ｍｍ≦Ｄ2である。
【００７４】
記録禁止用識別穴１０ｂは、光ディスク装置に設けられた検出部によって確実に検出され、ディスクカートリッジ１に収納された光ディスク４００の第１の主面２ａに対向する面への記録を確実に禁止する必要がある。このため、記録禁止用識別穴１０ｂの中心点の寸法公差を記録禁止用識別穴１０ｃよりも小さくしている。また、記録禁止用識別穴１０ｂの直径の公差を記録禁止用識別穴１０ｃの最小値よりも大きくし、最大値を小さくすることにより、光ディスク装置が記録禁止用識別穴１０ｂを誤検知することを抑制している。上述した範囲に記録禁止用識別穴１０ｂの位置および大きさを設定することにより、誤検出の可能性を低減し、光ディスク装置にディスクカートリッジ１に収納された光ディスク４００の第１の主面２ａに対向する面への記録を確実に禁止させることができる。
【００７５】
次に図５および図６を参照してディスカートリッジ１へのデータの記録を説明する。図５に示すように、光ディスク４００は片面書換型であり、データ記録面４００Ｂとデータの記録ができない非記録面４００Ａとを含む。非記録面４００Ａは、光ディスク４００の容量やディスクの種別が記されたレーベル面（同図ではディスクの種別としてＤＶＤ−ＲＡＭが記入されたレーベル面）であってもよいし、データ記録層が形成されているがデータの記録ができない処理が施されていてもよい。データ記録面４００Ｂには書換可能なデータ記録層が形成されている。このデータ記録層には、ユーザデータを記録するデータ領域およびデータ領域の内周側に設けられたデータの帰属を示す情報を記録するリードイン領域が設けられている。
【００７６】
光ディスク４００は、非記録面４００Ａが記録禁止用識別穴１０ｂの設けられた第１の主面２ａに対向しており、データ記録面４００Ｂが記録禁止用識別穴１０ｃの設けられた第２の主面２ｂに対向している。記録禁止用識別穴１０ｃには記録可否設定機構１０ａが設けられている。ディスカートリッジ１は、この状態で光ディスク４００を収納しており、図１Ａおよび図１Ｂに示すようにロックピン４ｂが穴９を塞いでいる。ユーザは、記録可否設定機構１０ａを用いて記録禁止用識別穴１０ｃを閉塞した状態または開放した状態のいずれにも任意に設定することができる。
【００７７】
ディスカートリッジ１を光ディスク装置内へ第１の主面２ａおよび非記録面４００Ａを上にし、第２の主面２ｂおよびデータ記録面４００Ｂが光ピックアップと対向するように装填した（図５に示す状態）場合、光ディスク装置は、第２の主面２ｂの記録禁止用識別穴１０ｃが開放しているか閉塞しているかを検出し、検出結果に基づいて、データ記録面４００Ｂへの記録動作を行ったり、データ記録面４００Ｂへの記録を禁止する。具体的には、ユーザが記録可否設定機構１０ａにより記録禁止用識別穴１０ｃを開放させている場合には、記録が禁止され、ユーザが記録可否設定機構１０ａにより記録禁止用識別穴１０ｃを閉塞させている場合には、記録動作を許可する。
【００７８】
図１Ａおよび図１Ｂを参照して説明したように、カートリッジ本体２は、第１の主面２ａおよび第２の主面２ｂのいずれが光ディスク装置のピックアップと対向するようにも光ディスク装置内へ装填することもできる外形を備えている。このため、ディスカートリッジ１を光ディスク装置内へ第２の主面２ｂおよびデータ記録面４００Ｂを上にし、第１の主面２ａおよび非記録面４００Ａが光ピックアップと対向するように装填することもできる（図５において上下を逆にした状態）。この場合、光ディスク装置は、第２の主面２ｂの記録禁止用識別穴１０ｃが開放していることを検知し、非記録面４００Ａへの記録を禁止する。記録禁止用識別穴１０ｃの検出は、少なくともディスクカートリッジ１の光ディスク装置への装填が完了した時点で行われるため、たとえば光ディスク装置は、ディスクカートリッジ１の光ディスク装置への装填が完了後、記録ができないことを表示するなどを行ない、ユーザに警告を発することができる。つまり、光ピックアップが実際に非記録面４００Ａにアクセスする前にユーザに警告できるため、ユーザは、ディスクカートリッジ１の装填直後に、ディスクカートリッジ１の装填方向（表裏）が誤っていたことに気づくことができる。
【００７９】
ユーザがロックピン４ｂ（図１Ａ、図３）を取り、蓋４を開放することによって光ディスク４００を取り出した後、再び図５に示すように光ディスク４００をディスクカートリッジ１へ収納した場合を考える。このとき、光ディスク４００の非記録面４００Ａが記録禁止用識別穴１０ｂの設けられた第１の主面２ａに対向しており、データ記録面４００Ｂが記録禁止用識別穴１０ｃの設けられた第２の主面２ｂに対向している。このため、ロックピン４ｂが取り去られて取り出し履歴を示す穴９（図１Ａ、１Ｂ）が開放していることを除けば、ディスクカートリッジ１の状態は前述の状態と同じである。したがって、光ディスク装置１は、取り出し履歴を示す穴９の開放を検知した後、必要に応じて欠陥検査などの動作を行い、上述したように動作を行う。
【００８０】
次に、ユーザがロックピン４ｂを取り、蓋４を開放することによって光ディスク１を取り出した後、光ディスク４００の表裏（上下）を逆にしてディスクカートリッジ１に収納した場合を考える。このとき、図６に示すように、光ディスク４００の非記録面４００Ａは記録禁止用識別穴１０ｃの設けられた第１の主面２ａに対向しており、データ記録面４００Ｂは記録禁止用識別穴１０ｃの設けられた第２の主面２ｂに対向している。
【００８１】
図６に示すように光ディスク４００を収納したディスクカートリッジ１が第２の面２ｂを上にして第１の面２ａが光ピックアップと対向するように光ディスク装置に装填された場合、光ディスク装置は、第１の主面２ａの記録禁止用識別穴１０ｂが開放していることを検知し、非記録面４００Ａへの記録を禁止する。第１の面２ａにはデータ記録面４００Ｂが対応しているため、光ディスク装置は再生指令をユーザから受けると、データ記録面４００Ｂに記録されたデータを再生することができる。
【００８２】
このようなディスクカートリッジ１の向きに対する光ディスク４００の向きは適切ではない。しかし、ユーザが誤ってこのような向きの組み合わせで光ディスク４００を挿入することも考えられる。また、片面書換型の光ディスクが収納されていたディスクカートリッジ１の第１の主面２ａは通常使用されないので、記録禁止の目的でユーザが故意にこのような向きの組み合わせで光ディスク４００を挿入することも考えられる。
【００８３】
いずれの場合であっても、不適切な使用状況において最も重要なことは、データ記録面４００Ｂにすでに記録されたデータが、誤って書き換えられるのを防止することである。本実施形態のディスクカートリッジ１によれば、第１の主面２ａに設けられた記録禁止用識別穴１０ｂには、記録可否設定機構１０ａが設けられていないため、ユーザは記録禁止用識別穴１０ｂを塞ぐことができず、このような使用状態においても、データ記録面４００Ｂへの記録が禁止される。このため、ユーザがすでに記録したデータを誤って消去することが防止される。
【００８４】
なお、図６に示すように光ディスク４００がディスクカートリッジ１に収納されている状態で、第２の主面２ｂが光ピックアップと対向するように光ディスク装置に収納された場合、光ディスク装置は記録禁止用識別穴１０ｃが開放しているか閉塞しているかによって記録動作を行おうとする。しかし、光ピックアップが対向しているのは非記録面４００Ａであるため、実際にはデータの記録を行うことができない。
【００８５】
本発明のディスクカートリッジ１は、例えばポリカーボネイト樹脂、ＡＢＳ樹脂、ポリスチレン樹脂等を用いて、射出成形により製造される。これまで説明したように、ディスクカートリッジ１は、どちらの面を上にして光ディスク装置に装填することも可能な外形を備えている。つまり、図１１Ａおよび図１１Ｂに示した、両面書換型のディスクカートリッジと外形はほぼ同じであり、記録禁止用識別穴１０ｂ、１０ｃ近傍の構造のみが異なる。したがって、記録禁止用識別穴１０ｂ、１０ｃ近傍の構造を成形する入れ子構造の金型を用いることによって、図１１Ａおよび図１１Ｂに示す両面書換型のディスクカートリッジと同じ金型を用いて、片面書換型である本発明のディスクカートリッジ１を製造することができる。このため、片面書換型のディスクカートリッジ１と両面書換型のディスクカートリッジ３１とを大がかりな金型の入れ替えを行うことなく生産することができ、製造時間の短縮を図ることができる。また、片面書換型のディスクカートリッジ１および両面書換型のディスクカートリッジ３１それぞれの専用金型を用意する必要がないため、金型に要するコストを抑制し、片面書換型のディスクカートリッジの製造コストを低減することができる。
【００８６】
このように本実施形態のディスクカートリッジによれば、カートリッジ本体の２つの主面にそれぞれ設けられ記録禁止用識別穴のうち、一方にのみ記録可否設定機構が設けられている。このため、非記録面を有する片面書換型の光ディスクが、非記録面と記録可否設定機構が設けられていない記録禁止用識別穴の主面とが対向するように光ディスクがディスクカートリッジに装填されている場合には、光ディスク装置が記録禁止用識別穴が開放されていることを検出し、光ピックアップが非記録面にアクセスする前に非記録面であることを検出することができる。
【００８７】
また、記録禁止用識別穴の一方には、記録可否設定機構が設けられていないため、ユーザがディスクカートリッジから光ディスクをいったん取り出し、誤った方向で光ディスクをディスクカートリッジ内に収納した場合でも、光ディスクのデータ記録面への書換が禁止されるため、データ記録面に記録されたデータが誤って書き換えられることが防止される。
【００８８】
また、本実施形態のディスクカートリッジによれば、どちらの面を上にして光ディスク装置に装填することもできる外形をカートリッジ本体が備えているため、両面書換型のディスクを収納するディスクカートリッジとおなじ金型を用いて本実施形態のディスクカートリッジを製造することができる。このため、ディスクカートリッジの製造コストを低減することができる。
【００８９】
なお、本実施形態では、ディスクカートリッジは書換型データ記録媒体を収納しているが、追記型データ記録媒体を収納していてもよい。追記型データ記録媒体をディスクカートリッジが収納している場合には、誤収納時にユーザの意図しない追記やデータの消去を防止することができる。
【産業上の利用可能性】
【００９０】
本発明ディスクカートリッジは、片面にデータ記録層を有するデータ記録媒体に好適に用いられ、特に、光学的にデータを記録再生する片面書換型の光ディスクに好適に用いられる。
【手続補正３】
【補正対象書類名】図面
【補正対象項目名】全図
【補正方法】変更
【補正の内容】
【図１Ａ】
2006035768.tif 000019
【図１Ｂ】
2006035768.tif 000020
【図２】
2006035768.tif 000021
【図３】
2006035768.tif 000022
【図４Ａ】
2006035768.tif 000023
【図４Ｂ】
2006035768.tif 000024
【図５】
2006035768.tif 000025
【図６】
2006035768.tif 000026
【図７】
2006035768.tif 000027
【図８】
2006035768.tif 000028
【図９Ａ】
2006035768.tif 000029
【図９Ｂ】
2006035768.tif 000030
【図９Ｃ】
2006035768.tif 000031
【図１０Ａ】
2006035768.tif 000032
【図１０Ｂ】
2006035768.tif 000033
【図１１Ａ】
2006035768.tif 000034
【図１１Ｂ】
2006035768.tif 000035
【国際調査報告】
2006035768.tif 000036
2006035768.tif 000037
2006035768.tif 000038
2006035768.tif 000039